(57)【特許請求の範囲】
【請求項１】
表面から裏面まで貫通する複数の開口部が１枚の板に所定配列で形成された板状のシート本体部と、
各前記開口部において、前記シート本体部から各前記開口部の内縁部に沿ってそれぞれ突設され、変位素子と該変位素子を支持する支持部とをそれぞれ有する第１可動部および第２可動部と、
を備え、
前記支持部が、
前記シート本体部と一体的に形成されており、
前記変位素子が、
前記支持部上に形成されており、
各前記第１可動部および各前記第２可動部が、
移動対象物に当接されるための部分を含むことを特徴とするアクチュエータアレイシート。
【請求項２】
請求項１に記載のアクチュエータアレイシートであって、
各前記開口部において、
前記第１可動部および前記第２可動部が、
各前記開口部の対向する内縁部にそれぞれ突設されることを特徴とするアクチュエータアレイシート。
【請求項３】
請求項１に記載のアクチュエータアレイシートであって、
前記シート本体部上に配置され、前記第１可動部に含まれる前記変位素子と前記第２可動部に含まれる前記変位素子とを電気的に接続する接続配線部、
を更に備えることを特徴とするアクチュエータアレイシート。
【請求項４】
請求項１に記載のアクチュエータアレイシートであって、
前記シート本体部が、
所定部材が前記所定配列で形成されたシートと接合される部分を含むことを特徴とするアクチュエータアレイシート。
【請求項５】
請求項１に記載のアクチュエータアレイシートであって、
各前記開口部の近傍に設けられ、前記シート本体部を貫通し、且つ各前記変位素子に対して電界を付与する貫通配線部、
を更に備えることを特徴とするアクチュエータアレイシート。
【請求項６】
請求項１に記載のアクチュエータアレイシートであって、
前記シート本体部上であって、隣り合う前記開口部の間の各所定位置にそれぞれ設けられ、各前記変位素子に対して電気的に接続されるとともに、各前記変位素子に電界を付与するための配線を接続するための端子部、
を更に備えることを特徴とするアクチュエータアレイシート。
【請求項７】
請求項１に記載のアクチュエータアレイシートであって、
前記開口部を囲み且つ前記シート本体部によって形成される枠部と、該枠部から突設される１以上の前記可動部と、をそれぞれ含む複数のアクチュエータユニットのチップが、所定配列で一体的に形成されていることを特徴とするアクチュエータアレイシート。
【請求項８】
請求項７に記載のアクチュエータアレイシートであって、
前記シート本体部の切断により、前記アクチュエータユニットのチップ毎に切り離されることで、前記複数のアクチュエータユニットのチップを形成することを特徴とするアクチュエータアレイシート。
【請求項９】
請求項１に記載のアクチュエータアレイシートであって、
各前記開口部が、第１辺、第２辺、第３辺、および第４辺を含む矩形状の内縁部を有し、
各前記開口部において、前記第１可動部および前記第２可動部が、前記第１辺の両端の近傍からそれぞれ突設され、対向する前記第２辺と前記第４辺とに対して略平行に延設されることを特徴とするアクチュエータアレイシート。
【請求項１０】
請求項１に記載のアクチュエータアレイシートであって、
各前記開口部が、第１辺、第２辺、第３辺、および第４辺を含む矩形状の内縁部を有し、
各前記開口部において、前記第１可動部が、前記第１辺の第１端部の近傍から突設されて前記第２辺に対して略平行に延設されるとともに、前記第２可動部が、前記第１辺と対向する前記第３辺の第２端部の近傍から突設されて前記第２辺と対向する前記第４辺に対して略平行に延設され、前記第１端部と前記第２端部とが、前記内縁部の１つの対角線上の２つの角部近傍に設けられていることを特徴とするアクチュエータアレイシート。
【発明の詳細な説明】
【技術分野】
【０００１】
本発明は、小型の対象物を移動させるアクチュエータに関する。
【背景技術】
【０００２】
近年、携帯電話機などの小型の電子機器にカメラモジュールが搭載されることが多く、カメラモジュールの更なる小型化が指向されている。【０００３】
このカメラモジュールについては、従来、レンズを支持するレンズバレルとレンズホルダ、赤外線(ＩＲ)カットフィルタを支持するホルダ、基板、撮像素子、および光学素子からなる積層体を保持する筐体、該積層体を封止する樹脂などが必要とされている。よって、上記多数の部品の小型化を図ると、多数の部品を精度良く組み合わせてカメラモジュールを作製することは容易でなかった。【０００４】
そこで、基板と、多数の撮像素子が形成された半導体シートと、多数の撮像レンズが形成されたレンズアレイシートとを樹脂層を介して貼り付けて積層部材を形成し、該積層部材をダイシングして、個々のカメラモジュールを完成させる技術が提案されている（例えば、特許文献１など）。なお、薄膜状のアクチュエータを用いた光学系の駆動機構を有するカメラモジュールについては、例えば、特許文献２などで提案されている。
【先行技術文献】
【特許文献】
【０００５】
【特許文献１】特開２００７−１２９９５号公報
【特許文献２】特開２００７−１９３２４８号公報
【発明の概要】
【発明が解決しようとする課題】
【０００６】
しかしながら、小型のカメラモジュールであっても、オートフォーカスやズーム機能などの各種機能を備えたモジュールの高機能化が要求されてきているが、上記特許文献１の技術は、このような高機能化の要求に十分応えられるものではない。また、特許文献２の技術では、モジュールの高機能化は図られているものの、多数の部品を精度良く組合せてカメラモジュールを作製することは難しい。【０００７】
このような問題は、小型のカメラモジュールのみに限られず、小型の駆動機構を含む装置一般に共通する。【０００８】
本発明は、上記課題に鑑みてなされたものであり、小型の駆動機構を含む装置において、高機能化と高精度化とを両立させることが可能な技術を提供することを目的とする。
【課題を解決するための手段】
【０００９】
上記課題を解決するために、第１の態様に係るアクチュエータアレイシートは、表面から裏面まで貫通する複数の開口部が１枚の板に所定配列で形成された板状のシート本体部と、各前記開口部において、前記シート本体部から各前記開口部の内縁部に沿ってそれぞれ突設され、変位素子と該変位素子を支持する支持部とをそれぞれ有する第１可動部および第２可動部とを備え、前記支持部が、前記シート本体部と一体的に形成されており、前記変位素子が、前記支持部上に形成されており、各前記第１および各前記第２可動部が、移動対象物に当接されるための部分を含む。
【００１２】
また、第２の態様に係るアクチュエータアレイシートは、第１の態様に係るアクチュエータアレイシートであって、各前記開口部において、前記第１可動部および前記第２可動部が、各前記開口部の対向する内縁部にそれぞれ突設される。
【００１３】
また、第３の態様に係るアクチュエータアレイシートは、第１の態様に係るアクチュエータアレイシートであって、前記シート本体部上に配置され、前記第１可動部に含まれる前記変位素子と前記第２可動部に含まれる前記変位素子とを電気的に接続する接続配線部を更に備える。
【００１４】
また、第４の態様に係るアクチュエータアレイシートは、第１の態様に係るアクチュエータアレイシートであって、前記シート本体部が、所定部材が前記所定配列で形成されたシートと接合される部分を含む。
【００１５】
また、第５の態様に係るアクチュエータアレイシートは、第１の態様に係るアクチュエータアレイシートであって、各前記開口部の近傍に設けられ、前記シート本体部を貫通し、且つ各前記変位素子に対して電界を付与する貫通配線部を更に備える。
【００１６】
また、第６の態様に係るアクチュエータアレイシートは、第１の態様に係るアクチュエータアレイシートであって、前記シート本体部上であって、隣り合う前記開口部の間の各所定位置にそれぞれ設けられ、各前記変位素子に対して電気的に接続されるとともに、各前記変位素子に電界を付与するための配線を接続するための端子部を更に備える。
【００１７】
また、第７の態様に係るアクチュエータアレイシートは、第１の態様に係るアクチュエータアレイシートであって、前記開口部を囲み且つ前記シート本体部によって形成される枠部と、該枠部から突設される１以上の前記可動部と、をそれぞれ含む複数のアクチュエータユニットのチップが、所定配列で一体的に形成されている。
【００１８】
また、第８の態様に係るアクチュエータアレイシートは、第７の態様に係るアクチュエータアレイシートであって、前記シート本体部の切断により、前記アクチュエータユニットのチップ毎に切り離されることで、前記複数のアクチュエータユニットのチップを形成する。
また、第９の態様に係るアクチュエータアレイシートは、第１の態様に係るアクチュエータアレイシートであって、各前記開口部が、第１辺、第２辺、第３辺、および第４辺を含む矩形状の内縁部を有し、各前記開口部において、前記第１可動部および前記第２可動部が、前記第１辺の両端の近傍からそれぞれ突設され、対向する前記第２辺と前記第４辺とに対して略平行に延設される。
また、第１０の態様に係るアクチュエータアレイシートは、第１の態様に係るアクチュエータアレイシートであって、各前記開口部が、第１辺、第２辺、第３辺、および第４辺を含む矩形状の内縁部を有し、各前記開口部において、前記第１可動部が、前記第１辺の第１端部の近傍から突設されて前記第２辺に対して略平行に延設されるとともに、前記第２可動部が、前記第１辺と対向する前記第３辺の第２端部の近傍から突設されて前記第２辺と対向する前記第４辺に対して略平行に延設され、前記第１端部と前記第２端部とが、前記内縁部の１つの対角線上の２つの角部近傍に設けられている。
【発明の効果】
【００１９】
第１から第１０の何れの態様に係るアクチュエータアレイシートによっても、アクチュエータアレイシートと、移動対象物をそれぞれ含む複数のチップが所定配列で形成されたシートとを積層および接合させた後に、チップ毎に分離することが可能となるため、小型の駆動機構を含む装置において、高機能化と高精度化とを両立させることができる。
【００２０】
第３の態様に係るアクチュエータアレイシートによれば、可動部に電界を付与する構成の簡略化を図ることができる。
【００２１】
第５の態様に係るアクチュエータアレイシートによれば、小型の駆動機構を含む装置を製造する際に、アクチュエータアレイシートと積層および接合される他のシートにも同様な貫通配線部を設けることで、可動部に電界を付与するための配線部を容易に精度良く形成することができる。
【００２２】
第６の態様に係るアクチュエータアレイシートによれば、アクチュエータアレイシートの作製が容易となる。
【図面の簡単な説明】
【００２３】
【図１】本発明の実施形態に係るカメラモジュールを含む携帯電話機の概略構成を例示する図である。
【図２】本発明の実施形態に係るカメラモジュールの構成例を示す分解斜視図である。
【図３】カメラモジュールを構成する各層の構成例を示す平面図である。
【図４】カメラモジュールを構成する各層の構成例を示す平面図である。
【図５】アクチュエータ層の詳細な構成例を説明するための図である。
【図６】アクチュエータ部の動作例を説明するための図である。
【図７】カメラモジュールの構造を例示する図である。
【図８】第３レンズ層に含まれるレンズ部の駆動態様を説明するための図である。
【図９】カメラモジュールの製造工程の手順を示すフローチャートである。
【図１０】準備するシートを例示する平面図である。
【図１１】準備するシートを例示する平面図である。
【図１２】アクチュエータシートの一部領域を例示する拡大図である。
【図１３】複数のシートの結合を説明するための図である。
【図１４】変形例の具体例１に係るアクチュエータ層の構成例を示す図である。
【図１５】変形例の具体例１に係るアクチュエータシートの構成例を示す図である。
【図１６】変形例の具体例１に係るアクチュエータ層の変更例を示す図である。
【図１７】変形例の具体例２に係るアクチュエータ層の構成例を示す図である。
【図１８】変形例の具体例２に係るアクチュエータシートの構成例を示す図である。
【図１９】変形例の具体例２に係るアクチュエータ層の変更例を示す図である。
【図２０】変形例の具体例３に係るアクチュエータ層の構成例を示す図である。
【図２１】変形例の具体例３に係るアクチュエータシートの構成例を示す図である。
【図２２】変形例の具体例３に係るアクチュエータ層の変更例を示す図である。
【図２３】変形例に係る光ピックアップ装置の構成例を示す図である。
【発明を実施するための形態】
【００２４】
以下、本発明の実施形態を図面に基づいて説明する。
【００２５】
図１は、本発明の実施形態に係るカメラモジュール４００を搭載した携帯電話機１００の概略構成を例示する模式図である。なお、図１および図１以降の図では方位関係を明確化するために、ＸＹＺの相互に直交する３軸が適宜付されている。
【００２６】
図１(ａ)で示すように、携帯電話機１００は、画像取得再生部２００と本体部３００とを備える。画像取得再生部２００は、カメラモジュール４００や表示ディスプレイ（不図示）を有し、本体部３００は、携帯電話機１００の全体を制御する制御部とテンキーなどの各種ボタン（不図示）とを有する。なお、画像取得再生部２００と本体部３００とが、回動可能なヒンジ部によって連結され、携帯電話機１００が折り畳み可能となっている。
【００２７】
図１(ｂ)は、携帯電話機１００のうちの画像取得再生部２００に着目した断面模式図である。図１(ａ)，(ｂ)で示すように、カメラモジュール４００は、ＸＹ断面のサイズが約５ｍｍ四方であり、厚さ（Ｚ方向の奥行き）が約３ｍｍ程度である小型の撮像装置、すなわち所謂マイクロカメラユニット(ＭＣＵ)となっている。
【００２８】
以下、カメラモジュール４００の構成、およびその製造工程について順次説明する。
【００２９】
＜カメラモジュールの構成＞
図２は、カメラモジュール４００の構成例を模式的に示す分解斜視図である。
【００３０】
図２で示すように、カメラモジュール４００は、撮像素子層１０、撮像センサホルダ層２０、赤外カットフィルタ層３０、第１レンズ層４０、第２レンズ層５０、アクチュエータ層６０、平行バネ下層７０、第３レンズ層８０、平行バネ上層９０、および保護層ＣＢの１０層がこの順番で積層されて形成されている。そして、１０層に含まれる相互に隣接する各２層の間が、エポキシ樹脂などの樹脂によって接合されているため、各層間に樹脂が介在している。また、各層１０〜９０，ＣＢは、±Ｚ方向の面において略同一の矩形状（ここでは、一辺が約５ｍｍの正方形）の外形を有する。なお、後述するが、第３レンズ層８０については、カメラモジュール４００の製造途中で、連結部８４（図４(ｂ)参照）が図中の太破線で描かれた部分８４ａ，８４ｂで切断され、枠部Ｆ８とレンズ部８１とが分離された状態となる。
【００３１】
＜各層の構成＞
図３および図４は、撮像素子層１０、撮像センサホルダ層２０、赤外カットフィルタ層３０、第１レンズ層４０、第２レンズ層５０、アクチュエータ層６０、平行バネ下層７０、第３レンズ層８０、平行バネ上層９０、および保護層ＣＢの構成例をそれぞれ示す平面図である。
【００３２】
○撮像素子層１０：
図３(ａ)で示すように、撮像素子層１０は、例えば、ＣＯＭＳセンサまたはＣＣＤセンサなどで形成される撮像素子部１１、その周辺回路、および撮像素子部１１を囲む外周部Ｆ１を備えるチップである。なお、ここでは図示を省略しているが、撮像素子層１０の裏面（−Ｚ側の面）には、撮像素子部１１に対する信号の付与、および撮像素子部１１からの信号の読み出しを行うための配線を接続するための各種端子が設けられる。
【００３３】
また、外周部Ｆ１の所定の２箇所にＺ方向に沿って貫通する微小な孔（貫通孔）Ｃａ１，Ｃｂ１が設けられ、該貫通孔Ｃａ１，Ｃｂ１には導電性を有する素材（導電材料）が充填される。この微小な貫通孔Ｃａ１，Ｃｂ１の内径は、例えば、数十μｍ程度に設定される。更に、撮像素子部１１の＋Ｚ側の面は、被写体からの光を受光する面（撮像面）として機能し、外周部Ｆ１が、撮像素子層１０の＋Ｚ側に隣接する撮像センサホルダ層２０に対して接合される。
【００３４】
○撮像センサホルダ層２０：
図３(ｂ)で示すように、撮像センサホルダ層２０は、例えば、樹脂などの素材によって形成され、接合によって取り付けられる撮像素子層１０を保持するチップである。具体的には、撮像センサホルダ層２０の略中央には、断面が略正方形の開口２１がＺ方向に沿って設けられ、該開口２１の断面は＋Ｚ側に行くに従って小さくなる。なお、図３(ｂ)の破線で描かれた四角形は、−Ｚ側の面における開口２１の外縁を示す。
【００３５】
また、撮像素子層１０と同様な態様で、撮像センサホルダ層２０の外周部の所定の２箇所にＺ方向に沿って貫通する微小な孔（貫通孔）Ｃａ２，Ｃｂ２が設けられ、該貫通孔Ｃａ２，Ｃｂ２には導電材料が充填される。更に、撮像センサホルダ層２０の外周部の−Ｚ側の面が隣接する撮像素子層１０と接合され、該外周部の＋Ｚ側の面が隣接する赤外カットフィルタ層３０と接合される。
【００３６】
○赤外カットフィルタ層３０：
図３(ｃ)で示すように、赤外カットフィルタ層３０は、透明基板上に屈折率の異なる透明薄膜が多層化されて構成された赤外線をカットするフィルタのチップである。具体的には、赤外カットフィルタ層３０は、例えば、ガラスまたは透明樹脂で構成される基板の上面に屈折率の異なる多数の透明薄膜をスパッタリングなどで形成したもので、薄膜の厚みおよび屈折率の組合せにより、透過する光の波長帯が制御される。例えば、赤外カットフィルタ層３０としては、６００ｎｍ以上の波長帯の光を遮断するものが好ましい。
【００３７】
また、撮像素子層１０などと同様な態様で、赤外カットフィルタ層３０の外周部の所定の２箇所にＺ方向に沿って貫通する微小な孔（貫通孔）Ｃａ３，Ｃｂ３が設けられ、該貫通孔Ｃａ３，Ｃｂ３には導電材料が充填される。更に、赤外カットフィルタ層３０の外周部の−Ｚ側の面が隣接する撮像センサホルダ層２０と接合され、該外周部の＋Ｚ側の面が隣接する第１レンズ層４０と接合される。
【００３８】
○第１レンズ層４０：
図３(ｄ)で示すように、第１レンズ層４０は、正のレンズパワーを有する光学レンズからなるレンズ部４１と、該レンズ部４１を囲み且つ該第１レンズ層４０の外周部を構成する枠部Ｆ４とが同一の素材で一体成型されて形成されたチップである。そして、第１レンズ層４０を構成する素材としては、フェノール系の樹脂やアクリル系の樹脂、あるいはガラスなどが挙げられる。なお、レンズ部４１は、第１〜３レンズ層４０，５０，８０による焦点が撮像素子部１１に対応したものとなるように結像を行う光学レンズとなっている。
【００３９】
また、撮像素子層１０などと同様な態様で、枠部Ｆ４の所定の２箇所にＺ方向に沿って貫通する微小な孔（貫通孔）Ｃａ４，Ｃｂ４が設けられ、該貫通孔Ｃａ４，Ｃｂ４には導電材料が充填される。更に、枠部Ｆ４の−Ｚ側の面が隣接する赤外カットフィルタ層３０と接合され、該枠部Ｆ４の＋Ｚ側の面が隣接する第２レンズ層５０と接合される。
【００４０】
○第２レンズ層５０：
図３(ｅ)で示すように、第２レンズ層５０は、負のレンズパワーを有する光学レンズからなるレンズ部５１と、該レンズ部５１を囲み且つ該第２レンズ層５０の外周部を構成する枠部Ｆ５とが同一の素材で一体成型されて形成されたチップである。そして、第２レンズ層５０を構成する素材としては、第１レンズ層４０と同様に、フェノール系の樹脂やアクリル系の樹脂、あるいはガラスなどが挙げられる。なお、レンズ部５１は、レンズ部４１と同様に、第１〜３レンズ層４０，５０，８０による焦点が撮像素子部１１に対応したものとなるように光を屈折させる光学レンズとなっている。
【００４１】
また、撮像素子層１０などと同様な態様で、枠部Ｆ５の所定の２箇所にＺ方向に沿って貫通する微小な孔（貫通孔）Ｃａ５，Ｃｂ５が設けられ、該貫通孔Ｃａ５，Ｃｂ５には導電材料が充填される。更に、枠部Ｆ５の−Ｚ側の面が隣接する第１レンズ層４０（具体的には、枠部Ｆ４）と接合され、該枠部Ｆ５の＋Ｚ側の面が隣接するアクチュエータ層６０と接合される。
【００４２】
○アクチュエータ層６０：
図３(ｆ)で示すように、アクチュエータ層６０は、撮像素子層１０の撮像面側に配置されるとともに、第３レンズ層８０のレンズ部８１を移動させる薄板状のアクチュエータ部６１ａ，６１ｂ（本発明の「可動部」に相当する）を備えるユニット（アクチュエータユニット）を構成するチップである。このアクチュエータ層６０は、シリコン(Ｓｉ)製の基板上に変位用の素子（アクチュエータ素子）が薄膜状に形成される。本実施形態では、アクチュエータ素子として、形状記憶合金(ＳＭＡ)を用いるものとする。
【００４３】
また、アクチュエータ層６０は、外周部を構成する枠部Ｆ６と、該枠部Ｆ６の内側の中空部分に対して該枠部Ｆ６から突設される２枚の板状のアクチュエータ部６１ａ，６１ｂとを備える。つまり、２枚のアクチュエータ部６１ａ，６１ｂの一端がそれぞれ枠部Ｆ６に固設され、枠部Ｆ６が２枚のアクチュエータ部６１ａ，６１ｂを囲むように形成されている。
【００４４】
より具体的には、枠部Ｆ６は、Ｘ軸に対して略平行に延設され且つ相互に対向する２辺を成す２枚の板状部材と、Ｙ軸に対して略平行に延設され且つ相互に対向する２辺を成す２枚の板状部材とからなる４枚の板状部材がロの字型に配置されて形成される。また、該４枚の板状部材のうちの１枚の板状部材（ここでは、−Ｙ側の板状部材）が形成する枠部Ｆ６の内縁のうち、−Ｘ側の端部（一端）近傍の所定部（以下「一方所定部」と称する）にアクチュエータ部６１ａの一端が固設され、＋Ｘ側の端部（他端）近傍の所定部（以下「他方所定部」と称する）にアクチュエータ部６１ｂの一端が固設される。つまり、２枚のアクチュエータ部６１ａ，６１ｂの各一端が枠部Ｆ６に対して固定された端部（固定端）となり、２枚のアクチュエータ部６１ａ，６１ｂの各他端が枠部Ｆ６に対する相対的な位置が自由に変更される端部（自由端）となっている。
【００４５】
また、枠部Ｆ６の所定の２箇所（撮像素子層１０などと同様な位置）にＺ方向に沿って、枠部Ｆ６の裏面（ここでは、−Ｚ側の面）から該枠部Ｆ６の途中まで微小な孔部Ｃａ６，Ｃｂ６が設けられる。更に、枠部Ｆ６の−Ｚ側の面が隣接する第２レンズ層５０（具体的には、枠部Ｆ５）と接合され、該枠部Ｆ６の＋Ｚ側の面が隣接する平行バネ下層７０と接合される。
【００４６】
ここで、アクチュエータ層６０の詳細な構成ならびに動作について説明する。
【００４７】
図５は、アクチュエータ層６０の詳細な構成を説明するための図である。
【００４８】
アクチュエータ層６０は、図５(ａ)で示すベース層６０１上に、図５(ｂ)で示す絶縁層６０２、図５(ｃ)で示す第１アクチュエータ素子層６０３、図５(ｄ)で示す絶縁・導電層６０４、および図５(ｅ)で示す第２アクチュエータ素子層６０５がこの順番で積層されて構成される。
【００４９】
図５(ａ)で示すように、ベース層６０１は、例えば、適度な剛性を有する素材（例えば、シリコンや金属、ポリイミド等の樹脂材料）で構成され、枠部Ｆ６１と、突設部６１１ａ，６１１ｂとを有する板状のベース部材によって構成される。
【００５０】
枠部Ｆ６１は、第２レンズ層５０に対して接合されて固定される部分である。突設部６１１ａは、枠部Ｆ６１の一方所定部から突設される板状で且つ腕状の部分であり、突設部６１１ｂは、枠部Ｆ６１の他方所定部から突設される板状で且つ腕状の部分である。突設部６１１ａ，６１１ｂは、枠部Ｆ６１に固設された一端近傍を支点として、他端側が変位するように、変形可能に形成されている。なお、ここでは、枠部Ｆ６１と突設部６１１ａ，６１１ｂとが一体的に形成されたが、これに限られず、例えば、枠部Ｆ６１に対して突設部６１１ａ，６１１ｂが取り付けられることで固設されても良い。
【００５１】
つまり、このベース層６０１では、突設部６１１ａ，６１１ｂの各一端が枠部Ｆ６１に固設されて固定端となるとともに、突設部６１１ａ，６１１ｂの各他端が自由端となっており、枠部Ｆ６１が突設部６１１ａ，６１１ｂを囲むように形成されている。また、枠部Ｆ６１の所定の２箇所（撮像素子層１０などと同様な位置）にＺ方向に沿って、微小な貫通孔Ｃａ６１，Ｃｂ６１が設けられ、該貫通孔Ｃａ６１，Ｃｂ６１には導電材料が充填される。
【００５２】
図５(ｂ)で示すように、絶縁層６０２は、導電性を有しない材料（例えば、有機物）で構成され、ベース層６０１と同一の形状を有する。この絶縁層６０２は、例えば、ベース層６０１の上面（＋Ｚ側の面）の全域に渡って、所定厚の有機物がマスクを用いた蒸着などにより形成される。したがって、絶縁層６０２は、枠部Ｆ６１の上面に形成される膜状の枠部Ｆ６２と、突設部６１１ａ，６１１ｂの上面にそれぞれ形成される突設部６１２ａ，６１２ｂとを有する。ここでは、アクチュエータ層６０の枠部Ｆ６は、主に上下に積層する枠部Ｆ６１，Ｆ６２によって構成される。また、枠部Ｆ６２の所定の２箇所（撮像素子層１０などと同様な位置）においてＺ方向に沿った微小な貫通孔Ｃａ６２，Ｃｂ６２が設けられ、該貫通孔Ｃａ６２，Ｃｂ６２には導電材料が充填される。
【００５３】
なお、製造の容易性を考慮すると、貫通孔Ｃａ６１，Ｃｂ６１が設けられていないベース層６０１上に絶縁層が形成された後に、型押しなどの手法によって、微小な貫通孔Ｃａ６１，Ｃｂ６１，Ｃａ６２，Ｃｂ６２が同時に形成される手法が好適である。
【００５４】
図５(ｃ)で示すように、第１アクチュエータ素子層６０３は、２つの変位素子部６１３ａ，６１３ｂと、２つの電極部Ｔａ，Ｔｂとを有する。
【００５５】
変位素子部６１３ａは、突設部６１１ａ，６１２ａ上に設けられ、電圧の印加に応じて伸縮する薄膜状の素子（ここでは、形状記憶合金）によって構成される。つまり、ここでは、突設部６１１ａ，６１２ａが、変位素子部６１３ａを支持する支持部として機能する。また、変位素子部６１３ｂは、変位素子部６１３ａと同様な形状を有し、突設部６１１ｂ，６１２ｂ上に設けられ、電圧の印加に応じて伸縮する薄膜状の素子（ここでは、形状記憶合金）によって構成される。つまり、ここでは、突設部６１１ｂ，６１２ｂが、変位素子部６１３ｂを支持する支持部として機能する。そして、変位素子部６１３ａ，６１３ｂの素材（ここでは、形状記憶合金）は、ベース層６０１の素材（例えば、シリコン）と比較して温度の上昇に対応して長さが変化する割合（線膨張率、または線膨張係数）が異なる。なお、変位素子部６１３ａ，６１３ｂは、例えば、スパッタリングで成膜するか、または箔状に薄く延伸された素子を接着剤などで接合、または圧着することで形成される。なお、成膜方法としては、メッキや蒸着なども考えられる。
【００５６】
電極部Ｔａは、例えば、導電性に優れた金属などによって構成されるとともに、変位素子部６１３ａのうちの一方所定部側の端部（固定端）近傍に対して電気的に接続され、貫通孔Ｃａ６１，Ｃａ６２に充填された導電材料から供給される電圧を変位素子部６１３ａに対して印加する部分である。ここでは、電極部Ｔａが、貫通孔Ｃａ６２の直上に設けられる。また、電極部Ｔｂは、電極部Ｔａと同様に、例えば、導電性に優れた金属などによって構成されるとともに、変位素子部６１３ｂのうちの他方所定部側の端部（固定端）近傍に対して電気的に接続され、貫通孔Ｃｂ６１，Ｃｂ６２に充填された導電材料から供給される電圧を変位素子部６１３ｂに対して印加する部分である。ここでは、電極部Ｔｂが、貫通孔Ｃｂ６２の直上に設けられる。
【００５７】
図５(ｄ)で示すように、絶縁・導電層６０４は、絶縁膜６１４ａ，６１４ｂと、導電部Ｃｎａ，Ｃｎｂとを有する。
【００５８】
絶縁膜６１４ａは、変位素子部６１３ａの上面のうちの固定端から自由端の若干手前までの全域に渡って薄膜状に設けられた電気伝導性を有しない膜（絶縁膜）である。また、絶縁膜６１４ｂは、変位素子部６１３ｂの上面のうちの固定端から自由端の若干手前までの全域に渡って薄膜状に設けられた電気伝導性を有しない膜（絶縁膜）である。これらの絶縁膜６１４ａ，６１４ｂは、例えば、マスクを用いた有機物の蒸着などにより形成される。
【００５９】
導電部Ｃｎａは、変位素子部６１３ａの上面のうち、一方所定部とは反対側の端部（自由端）近傍に設けられた電気伝導性を有する膜（導電膜）である。また、導電部Ｃｎｂは、変位素子部６１３ｂの上面のうち、他方所定部とは反対側の端部（自由端）近傍に設けられた導電膜である。これらの導電部Ｃｎａ，Ｃｎｂは、例えば、スパッタリングによる成膜などで形成される。
【００６０】
図５(ｅ)で示すように、第２アクチュエータ素子層６０５は、２つの変位素子部６１５ａ，６１５ｂと、配線部６１５ｃとを有する。
【００６１】
変位素子部６１５ａ，６１５ｂは、変位素子部６１３ａ，６１３ｂと同様な素材で構成され、例えば、スパッタリングによる成膜、または箔状に薄く延伸された素子を接着剤などで接合することで形成される。なお、変位素子部６１５ａ，６１５ｂの成膜方法としては、メッキや蒸着なども考えられる。
【００６２】
そして、変位素子部６１５ａが、絶縁膜６１４ａおよび導電部Ｃｎａの上面のほぼ全域に設けられ、変位素子部６１５ｂが、絶縁膜６１４ｂおよび導電部Ｃｎｂの上面のほぼ全域に設けられる。したがって、変位素子部６１３ａと変位素子部６１５ａとが絶縁膜６１４ａおよび導電部Ｃｎａを挟むように形成され、変位素子部６１３ａと変位素子部６１５ａとが、自由端近傍において導電部Ｃｎａによって電気的に接続される。また、変位素子部６１３ｂと変位素子部６１５ｂとが絶縁膜６１４ｂおよび導電部Ｃｎｂを挟むように形成され、変位素子部６１３ｂと変位素子部６１５ｂとが、自由端近傍において導電部Ｃｎｂによって電気的に接続される。ここで、別の観点から言えば、突設部６１１ａ，６１２ａが、変位素子部６１５ａを支持する支持部として機能し、突設部６１１ｂ，６１２ｂが、変位素子部６１５ｂを支持する支持部として機能する。
【００６３】
配線部６１５ｃは、枠部Ｆ６１の上面側（具体的には、枠部Ｆ６２の上面）に設けられ、変位素子部６１５ａと変位素子部６１５ｂとを固定端近傍において電気的に接続する配線である。この配線部６１５ｃは、例えば、導電性に優れた金属などによって構成され、スパッタリングによる成膜などで形成される。この配線部６１５ｃによって変位素子部６１３ａ，６１３ｂ，６１５ａ，６１５ｂが電気的に直列に接続されるため、アクチュエータ部６１ａ，６１ｂに電界を付与する構成の簡略化が図られる。
【００６４】
なお、変位素子部６１３ａ，６１３ｂ，６１５ａ，６１５ｂについては、ともに加熱時に縮むように形状を記憶する熱処理（記憶熱処理）が適時施されているものとする。
【００６５】
ここで、アクチュエータ部６１ａ，６１ｂの動作について、アクチュエータ部６１ｂの動作を例に挙げて説明する。
【００６６】
図６は、アクチュエータ部６１ｂの動作を説明するための図である。図６(ａ)は、図３(ｆ)と同様に、アクチュエータ層６０の構成を示す平面図であり、図６(ｂ)，(ｃ)は、アクチュエータ部６１ｂに着目して、図６(ａ)の切断面線６Ａ−６Ａから見た断面模式図である。
【００６７】
なお、図６(ｂ)，(ｃ)では、貫通孔Ｃｂ１〜Ｃｂ５，Ｃｂ６１，Ｃｂ６２に導電材料が充填されて形成される貫通配線部ＣＴｂが図示されている。貫通配線部ＣＴｂは、電極部Ｔｂを介して変位素子部６１３ｂに電気的に接続され、本体部３００の電源回路（不図示）から貫通配線部ＣＴｂを介してアクチュエータ部６１ｂに電圧が印加される。なお、変位素子部６１３ａに対しても同様に、貫通孔Ｃａ１〜Ｃａ５，Ｃａ６１，Ｃａ６２に導電材料が充填されて形成される貫通配線部ＣＴａが電極部Ｔａを介して変位素子部６１３ａに電気的に接続され、電源回路から貫通配線部ＣＴａを介してアクチュエータ部６１ａに電圧が印加される。
【００６８】
ここでは、２つのアクチュエータ部６１ａ，６１ｂを構成する９つの部分、すなわち電極部Ｔａ、変位素子部６１３ａ、導電部Ｃｎａ、変位素子部６１５ａ、配線部６１５ｃ、変位素子部６１５ｂ、導電部Ｃｎｂ、変位素子部６１３ｂ、および電極部Ｔｂが、この順番で貫通配線部ＣＴａ，ＣＴｂの間で直列に接続される。
【００６９】
図６(ｂ)では、アクチュエータ部６１ｂが変形していない状態（初期状態）が示されている。初期状態では、変位素子部６１３ｂ，６１５ｂに電圧が印加されておらず、変位素子部６１３ｂ，６１５ｂが常温状態にある。このため、ベース層６０１の突設部６１１ｂの弾性力によって変位素子部６１３ｂ，６１５ｂが平板状とされ、アクチュエータ部６１ｂがほぼ平坦な形状を呈する。
【００７０】
図６(ｂ)で示した初期状態から、変位素子部６１３ｂ，６１５ｂに電圧が印加されると、変位素子部６１３ｂ，６１５ｂに電流が流れ、変位素子部６１３ｂ，６１５ｂは、ジュール熱により加熱される。そして、変位素子部６１３ｂ，６１５ｂが、所定の変態開始温度を超えると、変位素子部６１３ｂ，６１５ｂが縮小する。このとき、変位素子部６１３ｂ，６１５ｂの延設距離と、突設部６１１ｂの延設距離とに差が生じ、図６(ｃ)で示すように、アクチュエータ部６１ｂの自由端が上方にシフトするように、アクチュエータ部６１ｂが変形する。
【００７１】
また、変位素子部６１３ｂ，６１５ｂへの電圧の印加が終了されると、自然冷却により、変位素子部６１３ｂ，６１５ｂの延設距離が初期状態に戻り、アクチュエータ部６１ｂは変形していない初期状態に戻る。このように、アクチュエータ部６１ｂは、電界の付与により、枠部Ｆ６と接する場所を支点として、自由端が変位するように変形することで、駆動力を発生させる駆動部として機能する。そして、アクチュエータ部６１ａが、移動対象物に対して直接または間接的に当接することで、移動対象物に対して外力を及ぼして該移動対象物を移動させる。
【００７２】
なお、ここでは、２つのアクチュエータ部６１ａ，６１ｂが配線部６１５ｃによって電気的に接続されており、同時に通電加熱される。このため、２つのアクチュエータ部６１ａ，６１ｂが略同一のタイミングおよびメカニズムで略同一に変形する。
【００７３】
○平行バネ下層７０：
図４(ａ)で示すように、平行バネ下層７０は、りん青銅などの金属材料で構成され、枠部Ｆ７と、弾性部７１とを有するチップであり、バネ機構を形成する層（弾性層）となっている。
【００７４】
枠部Ｆ７は、平行バネ下層７０の外周部を構成する。そして、枠部Ｆ７の−Ｚ側の面が隣接するアクチュエータ層６０（具体的には、枠部Ｆ６）と接合され、該枠部Ｆ７の＋Ｚ側の面が隣接する第３レンズ層８０と接合される。
【００７５】
弾性部７１は、３つの略直線状に伸びる板状部材７１ａ，７１ｂ，７１ｃがコの字型に連結されて形成され、３つの板状部材７１ａ，７１ｂ，７１ｃのうちの両側の２本の板状部材７１ａ，７１ｃの各一端、すなわち弾性部７１の両端が、枠部Ｆ７の２箇所に固設される。ここでは、弾性部７１は、枠部Ｆ７の内側の中空部分に配置されるため、枠部Ｆ７が、弾性部７１を囲むように形成される。
【００７６】
より具体的には、枠部Ｆ７は、枠部Ｆ６と同様に、Ｘ軸に対して略平行に延設され且つ相互に対向する２辺を成す２枚の板状部材と、Ｙ軸に対して略平行に延設され且つ相互に対向する２辺を成す２枚の板状部材とからなる４枚の板状部材がロの字型に配置されて形成される。また、該４枚の板状部材のうちの１枚の板状部材（ここでは、−Ｙ側の板状部材）が形成する枠部Ｆ７の内縁のうち、−Ｘ側の端部（一端）近傍の所定部（以下「一方所定部」と称する）に弾性部７１の一端（具体的には、板状部材７１ａの一端）が固設され、＋Ｘ側の端部（他端）近傍の所定部（以下「他方所定部」と称する）に弾性部７１の他端（具体的には、板状部材７１ｃの一端）が固設される。
【００７７】
また、弾性部７１を構成する３つの板状部材７１ａ，７１ｂ，７１ｃのうち、両側の２つの板状部材７１ａ，７１ｃの下面（−Ｚ側の面）が、アクチュエータ部６１ａ，６１ｂの上面（＋Ｚ側の面）に当接する。したがって、図６で示したアクチュエータ部６１ａ，６１ｂの変形に応じて、枠部Ｆ７に対する板状部材７１ｂの相対的な位置が＋Ｚ側にシフトされるように、２つの板状部材７１ａ，７１ｃが弾性変形する。
【００７８】
○第３レンズ層８０：
図４(ｂ)で示すように、第３レンズ層８０は、枠部Ｆ８と、レンズ部８１と、レンズ保持部８３とを有するチップである。この第３レンズ層８０を構成する素材としては、第１および第２レンズ層４０，５０と同様に、フェノール系の樹脂やアクリル系の樹脂、あるいはガラスなどが挙げられる。
【００７９】
枠部Ｆ８は、第３レンズ層８０の外周部を構成する。具体的には、枠部Ｆ８は、Ｘ軸に対して略平行に延設され且つ相互に対向する２辺を成す２枚の板状部材と、Ｙ軸に対して略平行に延設され且つ相互に対向する２辺を成す２枚の板状部材とからなる４枚の板状部材がロの字型に配置されて形成される。そして、枠部Ｆ８の内側に形成される中空部分に、レンズ部８１およびレンズ保持部８３が配置され、レンズ部８１およびレンズ保持部８３が枠部Ｆ８に囲まれた状態となっている。また、枠部Ｆ８の−Ｚ側の面が隣接する平行バネ下層７０（具体的には、枠部Ｆ７）と接合され、該枠部Ｆ８の＋Ｚ側の面が隣接する平行バネ上層９０と接合される。
【００８０】
レンズ部８１は、撮像素子部１１からの距離が変更可能な光学レンズであり、ここでは、正のレンズパワーを有する。
【００８１】
レンズ保持部８３は、レンズ部８１を保持し、平行バネ下層７０の弾性部７１と、後述する平行バネ上層９０の弾性部９１とによって挟持される。具体的には、例えば、レンズ保持部８３は、レンズ部８１と一体的に成型され、レンズ保持部８３の＋Ｙ側の端部のうち、−Ｚ側の面に弾性部７１が接合され、＋Ｚ側の面に弾性部９１が接合される。
【００８２】
なお、第３レンズ層８０については、カメラモジュール４００の製造途中で、図４(ｂ)で示すように、連結部８４が図中の太破線で描かれた部分８４ａ，８４ｂで切断されて、枠部Ｆ８と、レンズ部８１およびレンズ保持部８３とが分離された状態となり、第３レンズ層８０が形成される。この連結部８４の切断については、更に後述する。
【００８３】
○平行バネ上層９０：
図４(ｃ)で示すように、平行バネ上層９０は、平行バネ下層７０と同様な構成を有し、りん青銅などの金属材料で構成され、枠部Ｆ９と、弾性部９１とを有するチップであり、バネ機構を形成する層（弾性層）となっている。
【００８４】
枠部Ｆ９は、平行バネ上層９０の外周部を構成する。そして、枠部Ｆ９の−Ｚ側の面が隣接する第３レンズ層８０（具体的には、枠部Ｆ８）と接合され、該枠部Ｆ９の＋Ｚ側の面が隣接する保護層ＣＢと接合される。
【００８５】
弾性部９１は、弾性部７１と同様に、３つの略直線状に伸びる板状部材９１ａ，９１ｂ，９１ｃがコの字型に連結されて形成され、３つの板状部材９１ａ，９１ｂ，９１ｃのうちの両側の２本の板状部材９１ａ，９１ｃの各一端、すなわち弾性部９１の両端が、枠部Ｆ９の２箇所に固設される。ここでは、弾性部９１は、枠部Ｆ９の内側の中空部分に配置されるため、枠部Ｆ９が、弾性部９１を囲むように形成されている。枠部Ｆ９のより具体的な構成については、上述した枠部Ｆ７と同様となるため、ここでは、説明を省略する。
【００８６】
なお、弾性部９１を構成する３つの板状部材９１ａ，９１ｂ，９１ｃのうち、中央の１つの板状部材９１ｂの下面（−Ｚ側の面）が、レンズ保持部８３に接合されることで、レンズ保持部８３が、弾性部７１と弾性部９１とによって挟持される。そして、図６で示したアクチュエータ部６１ａ，６１ｂの変形に応じて、枠部Ｆ９に対する板状部材９１ｂの相対的な位置が＋Ｚ側にシフトされるように、２つの板状部材９１ａ，９１ｃが弾性変形する。
【００８７】
○保護層ＣＢ：
図４(ｄ)で示すように、保護層ＣＢは、盤面が略正方形の板状の透明部材であり、例えば、樹脂やガラスなどによって構成される。そして、保護層ＣＢの外周部の−Ｚ側の面が隣接する平行バネ上層９０（具体的には、枠部Ｆ９）と接合される。保護層ＣＢの外周部は、例えば、外周に沿って凸形状を持つ構造にして、凸形状の上端面で接合するようにしても良い。
【００８８】
＜カメラモジュールの完成型の構造＞
図７は、カメラモジュール４００の構造を示す図である。詳細には、図７(ａ)は、カメラモジュール４００を保護層ＣＢ側（上方）から見た平面図であり、図７(ｂ)は、図７(ａ)の切断面線７Ａ−７Ａから見た断面模式図である。なお、図７(ｂ)では、切断面よりも−Ｙ側に位置している貫通孔Ｃａ１〜Ｃａ５，Ｃａ６１，Ｃａ６２が繋がって形成される１つの貫通孔Ｃｖａ、および貫通孔Ｃｂ１〜Ｃｂ５，Ｃｂ６１，Ｃｂ６２が繋がって形成される１つの貫通孔Ｃｖｂの位置関係が分かるように、それぞれが破線で示されている。
【００８９】
図７(ｂ)で示すように、撮像素子層１０、撮像センサホルダ層２０、赤外カットフィルタ層３０、第１レンズ層４０、第２レンズ層５０、アクチュエータ層６０、平行バネ下層７０、第３レンズ層８０、平行バネ上層９０、および保護層ＣＢの１０層がこの順番で積層されてカメラモジュール４００が形成されている。また、貫通孔Ｃｖａ，Ｃｖｂには、それぞれ導電材料が充填され、撮像素子層１０の裏面（−Ｚ側の面）から供給される電圧をアクチュエータ層６０の各アクチュエータ部６１ａ，６１ｂに付与する。
【００９０】
なお、このカメラモジュール４００は、例えば、微細装置の集積化のために使用されるマイクロマシニング(micromachining)技法により製作される。この技法は、半導体加工技術の一種として、一般にＭＥＭＳ(Micro Electro Mechanical Systems)と称される。なお、ＭＥＭＳという加工技術の名称が使用される分野としては、半導体工程、特に、集積回路技術を応用したマイクロマシニング技術を利用してサイズがμｍオーダーのマイクロセンサ、アクチュエータ、および電気機械的構造物を製作する分野が含まれる。カメラモジュール４００の製造方法については、更に後述する。
【００９１】
＜レンズ部の駆動の態様＞
図８は、第３レンズ層８０に含まれるレンズ部８１の駆動態様を説明するための図である。図８では、レンズ部８１と弾性部７１，９１の状態を側方から見た模式図が示されている。なお、実際にはレンズ保持部８３を弾性部７１，９１が挟持しているが、図８では、説明の簡略化のために、弾性部７１，９１がレンズ部８１を点Ｐｕ，Ｐｄで保持しているように示されている。また、図８(ａ)では、弾性部７１，９１が変形していない状態（初期状態）が示され、図８(ｂ)では、弾性部７１，９１が変形している状態（変形状態）が示されている。
【００９２】
上述したように、弾性部７１，９１は、ともに同様な構成を有し、それぞれ同様に枠部Ｆ７，Ｆ９に対して２箇所で固設される。そして、アクチュエータ部６１ａ，６１ｂの変形により、板状部材７１ｂが上昇するように弾性部７１が変形する際には、レンズ部８１を介して弾性部９１も同様に変形する。このとき、レンズ部８１が、所定距離離隔して並設される板状部材７１ａ，９１ａおよび板状部材７１ｃ，９１ｃによって挟持された状態と同視することができ、板状部材７１ａ，９１ａおよび板状部材７１ｃ，９１ｃが略同一のタイミングで略同一の変形を行う。このため、レンズ部８１は、光軸が傾くことなく、上下方向（ここでは、Ｚ軸に沿った方向）に移動する。すなわち、レンズ部８１の光軸の方向をずらすことなく、レンズ部８１と撮像素子部１１との距離を変更することができる。その結果、撮像素子部１１とレンズ部８１との距離が変更され、焦点調整が実行される。
【００９３】
＜カメラモジュールの製造工程＞
図９は、カメラモジュール４００の製造工程の手順を例示するフローチャートである。図９で示すように、(工程Ａ)複数のシートの準備（ステップＳ１）、(工程Ｂ)複数のシートの接合（ステップＳ２）、(工程Ｃ)ダイシング（ステップＳ３）、(工程Ｄ)光軸の偏芯の検査（ステップＳ４）、および(工程Ｅ)撮像素子層の結合（ステップＳ５）が順次に行われることで、カメラモジュール４００が製造される。以下、各工程について説明する。
【００９４】
○複数のシートの準備（工程Ａ）：  
図１０および図１１は、準備する１０枚のシートＵ２〜Ｕ９，ＵＣＢの構成例を示す平面図である。ここでは、各シートＵ２〜Ｕ９，ＵＣＢが、円盤状である例を示して説明する。
【００９５】
図１０(ａ)は、図３(ｂ)で示した撮像センサホルダ層２０に相当するチップが所定配列（ここでは、マトリックス状の所定配列）で多数形成されたシート（撮像センサホルダシート）Ｕ２を例示する図である。なお、ここでは、「所定配列」という文言を、多数のチップを所定の方向に所定の間隔で配列した状態を含む意味で使用している。また、この撮像センサホルダシートＵ２は、例えば、樹脂材料を素材として、金属金型を用いたプレス加工によって製作される。なお、貫通孔Ｃａ２，Ｃｂ２は、例えば、型押し加工またはエッチングなどによって形成される。ここで、各撮像センサホルダ層２０は、撮像素子部１１を有する撮像素子層１０の取り付け先となる所定部材に相当する。
【００９６】
図１０(ｂ)は、図３(ｃ)で示した赤外カットフィルタ層３０に相当するチップが所定配列（ここでは、マトリックス状の所定配列）で多数配列されたシート（赤外カットフィルタシート）Ｕ３を例示する図である。この赤外カットフィルタシートＵ３は、例えば、透明基板上に屈折率の異なる透明薄膜を多層化することで製作される。具体的には、まず、フィルタの基板となるガラスあるいは透明樹脂の基板を用意し、該基板の上面に屈折率の異なる透明薄膜をスパッタリングや蒸着などの手法によって多数積層させることで製作される。なお、透明薄膜の厚みや屈折率の組合せを適宜変更することで、透過する光の波長帯が設定される。ここでは、例えば、６００ｎｍ以上の波長帯の光を透過させないように設定することで、赤外光が遮断される。なお、貫通孔Ｃａ３，Ｃｂ３は、例えば、型押し加工またはエッチングなどによって形成される。
【００９７】
図１０(ｃ)は、図３(ｄ)で示した第１レンズ層４０に相当するチップが所定配列（ここでは、マトリックス状の所定配列）で多数形成されたシート（第１レンズシート）Ｕ４を例示する図であり、図１０(ｄ)は、図３(ｅ)で示した第２レンズ層５０に相当するチップが所定配列（ここでは、マトリックス状の所定配列）で多数形成されたシート（第２レンズシート）Ｕ５を例示する図である。第１および第２レンズシートＵ４，Ｕ５は、例えば、フェノール系の樹脂、アクリル系の樹脂、または光学ガラスを素材として、成型またはエッチングなどの手法で製作される。なお、貫通孔Ｃａ４，Ｃａ５，Ｃｂ４，Ｃｂ５は、例えば、型押し加工またはエッチングなどによって形成される。ところで、カメラモジュール４００に絞りを形成する場合は、例えば、第２レンズ層５０などに、シャドウマスクを用いて遮光材料の薄膜を形成したり、別途黒色に色づけされた樹脂材料などで絞りを形成したりすれば良い。
【００９８】
図１０(ｅ)は、図３(ｆ)で示したアクチュエータ層６０に相当するチップが所定配列（ここでは、マトリックス状の所定配列）で多数かつ一体的に形成されたシート（アクチュエータシート）Ｕ６を例示する図である。アクチュエータシートＵ６は、本発明の「アクチュエータアレイシート」に相当するものであり、例えば、シリコン(Ｓｉ)などの基板上に、ＭＥＭＳなどの手法でアクチュエータ素子に相当する形状記憶合金(ＳＭＡ)の薄膜などを形成することで製作される。なお、多数のアクチュエータ層６０のチップは、ＭＥＭＳなどの手法により同時期に形成される。以下、具体例を挙げて説明する。
【００９９】
まず、シリコン（または金属）の薄板に対して適宜エッチング処理を行うことで、上記ベース層６０１（図５(ａ)）が所定配列（ここでは、マトリックス状の所定配列）で多数形成されたベース板が形成される。なお、ベース層６０１は、シリコンの薄板（シリコン基板）の代わりに、ポリイミドなどで構成される薄板状のもので形成されても良い。
【０１００】
次に、フォトリソ法などを用いてベース板上に絶縁膜が形成され、各ベース層６０１上に絶縁層６０２（図５(ｂ)）が形成された状態となる。なお、貫通孔Ｃａ６１，Ｃａ６２，Ｃａ６１，Ｃｂ６１は、例えば、型押し加工またはエッチングなどによって形成される。また、このとき、貫通孔Ｃａ６１，Ｃａ６２が一体的に繋がって形成される孔部Ｃａ６と、貫通孔Ｃｂ６１，Ｃｂ６２が一体的に繋がって形成される孔部Ｃｂ６とに対して、金属（例えば、金）がめっきされる。なお、貫通孔Ｃａ６１，Ｃｂ６１については、例えば、シリコンの薄板に対して、ＤＲＩＥ(Deep Reactive Ion Etching)などのエッチングが施されて形成されても良い。
【０１０１】
次に、例えば、スパッタリング法（または蒸着法）を用いてアクチュエータ素子層６０３（図５(ｃ)）が形成される。このとき、各絶縁層６０２上に変位素子部６１３ａ，６１３ｂおよび電極部Ｔａ，Ｔｂが形成された状態となる。
【０１０２】
次に、フォトリソ法を用いた絶縁膜の形成と、スパッタリング法（または蒸着法）を用いた金属薄膜の形成により、絶縁・導電層６０４（図５(ｄ)）が形成される。このとき、変位素子部６１３ａ，６１３ｂおよび電極部Ｔａ，Ｔｂ上に、絶縁膜６１４ａ，６１４ｂおよび導電部Ｃｎａ，Ｃｎｂが形成された状態となる。
【０１０３】
次に、例えば、スパッタリング法（または蒸着法）を用いて第２アクチュエータ素子層６０５（図５(ｅ)）が形成される。このとき、絶縁膜６１４ａ，６１４ｂおよび導電部Ｃｎａ，Ｃｎｂ上に、変位素子部６１５ａ，６１５ｂが形成されるとともに、変位素子部６１５ａ，６１５ｂを導電可能に接続する配線部６１５ｃが形成された状態となる。そして、記憶させたい形状の型にアクチュエータ部６１ａ，６１ｂをセットし、所定温度（例えば、６００℃）程度で加熱する処理（形状記憶処理）が行われる。
【０１０４】
図１２は、アクチュエータシートＵ６の一部領域を拡大した平面模式図である。なお、図１２では、アクチュエータシートＵ６のうちの６つのアクチュエータ層６０に相当するチップが形成された一部領域が示されている。
【０１０５】
図１０(ｅ)および図１２で示すように、外形が略円形の板状のシート本体部６に複数のアクチュエータ層６０に相当するチップが所定配列で形成され、その境界線が破線で示されている。そして、各チップに相当する部分には、表面から裏面まで貫通する開口部６９が形成され、各開口部６９において、２つのアクチュエータ部６１ａ，６１ｂがシート本体部６からそれぞれ突設される。そして、図５で示したように、各アクチュエータ部６１ａは、変位素子部６１３ａ，６１５ａと、該変位素子部６１３ａ，６１５ａを支持する突設部６１１ａとを有し、各アクチュエータ部６１ｂは、変位素子部６１３ｂ，６１５ｂと、該変位素子部６１３ｂ，６１５ｂを支持する突設部６１１ｂとを有する。
【０１０６】
別の観点から言えば、図５で示したように、アクチュエータシートＵ６の状態では、アクチュエータ層６０の各チップが、開口部６９を囲み且つシート本体部６によって形成される枠部Ｆ６と、該枠部Ｆ６から突設されるアクチュエータ部６１ａ，６１ｂとを含む。そして、図５で示したように、変位素子部６１５ａと変位素子部６１５ｂとを電気的に接続する配線部６１５ｃ（本発明の「接続配線部」に相当する）が、シート本体部６上に配置される。また、図６で示したように、各開口部６９の近傍には、シート本体部６のうちの枠部Ｆ６１，Ｆ６２を貫通する貫通配線部ＣＴｂ（本発明の「貫通配線部」に相当する）が、変位素子部６１３ａ，６１３ｂ，６１５ａ，６１５ｂに対して電界の付与が可能に設けられている。
【０１０７】
図１０(ｆ)は、図４(ａ)で示した平行バネ下層７０に相当するチップが所定配列（ここでは、マトリックス状の所定配列）で多数形成されたシート（平行バネ下シート）Ｕ７を例示する図であり、図１１(ｂ)は、図４(ｃ)で示した平行バネ上層９０に相当するチップが所定配列（ここでは、マトリックス状の所定配列）で多数形成されたシート（平行バネ上シート）Ｕ９を例示する図である。平行バネ下シートＵ７および平行バネ上シートＵ９は、りん青銅などの金属材料の薄板に対して、例えばエッチングなどを施すことで製作される。
【０１０８】
図１１(ａ)は、図４(ｂ)で示した第３レンズ層８０に相当するチップが所定配列（ここでは、マトリックス状の所定配列）で多数形成されたシート（第３レンズシート）Ｕ８を例示する図である。第３レンズシートＵ８は、例えば、フェノール系の樹脂、アクリル系の樹脂、または光学ガラスを素材として、成型およびエッチングなどの手法で製作される。
【０１０９】
図１１(ｃ)は、図４(ｄ)で示した保護層ＣＢに相当するチップが所定配列（ここでは、マトリックス状の所定配列）で多数形成されたシート（保護シート）ＵＣＢを例示する図である。保護シートＵＣＢは、例えば、透明の材料である樹脂（またはガラス）を所望の厚みとし、適宜エッチングを施すことで製作された平板状のシートである。
【０１１０】
なお、ここで準備される１０枚のシートＵ２〜Ｕ９，ＵＣＢには、シートの接合工程における位置合わせのためのマーク（アライメントマーク）が、略同一の位置に付される。アライメントマークとしては、例えば、十字などのマークなどが挙げられ、各シートＵ２〜Ｕ９，ＵＣＢの上面の外周部近傍であって比較的離隔した２箇所以上の位置に設けられることが好ましい。
【０１１１】
○複数のシートの接合（工程Ｂ）：
図１３は、複数のシートＵ２〜Ｕ９，ＵＣＢを順次に積層させて接合する工程を模式的に示す図である。
【０１１２】
まず、撮像センサホルダシートＵ２、赤外カットフィルタシートＵ３、第１レンズシートＵ４、および第２レンズシートＵ５について、シートＵ２〜Ｕ５の各チップが、それぞれ直上に積層されるように、シート形状のまま位置合わせ（アライメント）が行われる。なお、レンズ部４１，５１，８１によって形成される光学系の精度を保つためには、３つのレンズ部４１，５１，８１の光軸のズレ量（すなわち偏芯精度）が５μｍ以内であることが望ましい。
【０１１３】
具体的には、公知のアライナー装置に、まず、撮像センサホルダシートＵ２および赤外カットフィルタシートＵ３がセットされ、予め形成しておいたアライメントマークを用いたアライメントが行われる。この際、事前に、撮像センサホルダシートＵ２と赤外カットフィルタシートＵ３とが接合される面（接合面）に、いわゆるエポキシ樹脂系の接着剤、または紫外線硬化接着剤が塗布されており、両シートＵ２，Ｕ３が接合される。なお、接合面にＯ2プラズマを照射することで、接合面を活性化して、両シートＵ２，Ｕ３を直接接合する方法を用いても良い。但し、複数の層を短時間で簡単に接合して、カメラモジュール４００の生産性の向上と製造コストの低減とを図ることを考慮すれば、上記樹脂の接着剤を用いる方が好ましい。
【０１１４】
続いて、上記と同様なアライメントならびに接合方法により、赤外カットフィルタシートＵ３上に第１レンズシートＵ４が接合され、更に、第１レンズシートＵ４上に第２レンズシートＵ５が接合される。
【０１１５】
このとき、各シートＵ２〜Ｕ５には、各チップにおいて所定位置を貫通する貫通孔Ｃａ２〜Ｃａ５，Ｃｂ２〜Ｃｂ５がそれぞれ設けられており、４つのシートＵ２〜Ｕ５の積層および接合により、上下に積層されるチップ毎に、貫通孔Ｃａ２〜Ｃａ５が一体的に繋がった貫通孔と、貫通孔Ｃｂ２〜Ｃｂ５が一体的に繋がった貫通孔とが形成される。そして、４つのシートＵ２〜Ｕ５の各チップの２つの貫通孔に対して、該貫通孔以外の部分にシャドーマスクなどを施して、例えば、無電解メッキなどといった金属（例えば、金など）をメッキする手法で、上下方向に導電可能な配線がそれぞれ形成される。この配線は、アクチュエータ部６１ａ，６１ｂに電界を付与する配線部を形成する。
【０１１６】
次に、４つのシートＵ２〜Ｕ５が積層されて形成された積層体の上面に対して、アクチュエータシートＵ６、平行バネ下シートＵ７、第３レンズシートＵ８、および平行バネ上シートＵ９がこの順番で下から順に積層および接合される。アライメントならびに接合方法については、上述したシートＵ２，Ｕ３に係る手法と同様であり、このとき、シートＵ２〜Ｕ９の各チップが、それぞれ直上に積層される。
【０１１７】
このとき、アクチュエータシートＵ６については、シート本体部６の上下面の略全部（または一部）が、隣接する第２レンズシートＵ５および平行バネ下シートＵ７に対して結合される。なお、平行バネ下シートＵ７は、移動対象物に含まれる所定部材（ここでは、弾性部７１）が所定配列で設けられたものであり、弾性部７１に対して、アクチュエータシートＵ６のアクチュエータ部６１ａ，６１ｂが当接される。
【０１１８】
また、この際、第３レンズシートＵ８のレンズ部８１が、平行バネ下シートＵ７の弾性部７１を介して、アクチュエータシートＵ６のアクチュエータ部６１ａ，６１ｂによって支持された状態となる。また、シートＵ７〜Ｕ９が積層されて結合されることで、レンズ保持部８３が上下面から弾性部７１，９１によって挟持され、弾性部７１，９１によってレンズ部８１が支持された状態となる。このとき、第３レンズシートＵ８の各チップにおいて、枠部Ｆ８とレンズ部８１とをレンズ保持部８３を介して連結する連結部８４（図４(ｂ)参照）がいわゆるフェムト秒レーザなどによって切断され、枠部Ｆ８とレンズ部８１とが分離される。なお、ここでは、各連結部８４が枠部Ｆ８側の一部分８４ａ，８４ｂ（図４(ｂ)の太破線部）で切断される。
【０１１９】
このように、複数のチップが形成されたシートの状態で、各チップのレンズ部８１が弾性部７１，９１によって支持された後に、レンズ部８１が移動可能な状態とされる。このため、レンズ部８１とアクチュエータ部６１ａ，６１ｂとの位置合わせを精度良く行うことができる。すなわち、例えば、各光学ユニット（後述）におけるレンズ部の光軸の偏芯などを防ぐことが可能となる。
【０１２０】
最後に、平行バネ上シートＵ９の上面に対して、保護シートＵＣＢが、上述した手法と同様な方法で、アライメントされて接合される。このとき、９つのシートＵ２〜Ｕ９，ＵＣＢが積層した部材（積層部材）が形成される。
【０１２１】
○ダイシング（工程Ｃ）：
９つのシートＵ２〜Ｕ９，ＵＣＢが積層されて形成された積層部材が、ダイシング装置によってチップ毎に切り離されて、９つの層２０〜９０，ＣＢが積層された光学系のユニット（光学ユニット）が多数生成される。このとき、アクチュエータシートＵ６に着目すると、図１２で示した破線に沿ってシート本体部６が切断され、アクチュエータ層６０のチップ毎に切り離されて、複数のアクチュエータ層６０のチップが形成される。
【０１２２】
○光軸の偏芯の検査（工程Ｄ）：
上記ダイシングによって生成された多数の光学ユニットについて、レンズ偏芯測定機によって、３つのレンズ部４１，５１，８１の光軸のズレ量（すなわち偏芯）が所定の許容値域範囲（例えば、５μｍ以内）に入っているのか否か検査される。
【０１２３】
ここで、光軸の偏芯の検査を行う理由について簡単に説明する。一般に、カメラモジュール４００を構成する部品のうち、最も高価となるのは撮像素子層１０である。そして、光軸の偏芯が所定の許容値域範囲から外れたカメラモジュール４００は、不良品として扱われる。このため、光学ユニットの段階で不良品と良品とを選別し、良品に対してのみ撮像素子層１０を取り付けるようにすることで、カメラモジュール４００の製造コストならびに資源の無駄使いの低減を図ることが可能となる。
【０１２４】
○撮像素子層の結合（工程Ｅ）：
光軸の偏芯の検査によって良品であると判別された各光学ユニットの下面（具体的には、撮像センサホルダ層２０の裏面）に対して、撮像素子層１０のチップが、いわゆるエポキシ樹脂系の接着剤、または紫外線硬化接着剤を用いた接合によって取り付けられて、カメラモジュール４００が完成される。
【０１２５】
以上のように、本発明の実施形態に係るカメラモジュール４００の製造工程では、アクチュエータ６１ａ，６１ｂをそれぞれ有する複数のチップ（アクチュエータ層６０に相当する）が所定配列で形成されたアクチュエータシートＵ６と、弾性部７１などの駆動対象物をそれぞれ有する複数のチップ（平行バネ下層７０に相当する）が所定配列で形成された平行バネ下シートＵ７とを含む複数のシートを積層させて接合した後に、チップ毎に分離して、複数の光学ユニット、ひいては複数のカメラモジュール４００が形成される。このため、カメラモジュール４００の組立工程の簡略化が図られ、カメラモジュール４００の製作コストの低減が可能となる。そして、小型化されたカメラモジュール４００内にオートフォーカス機能が精度良く組み込まれる。したがって、小型の駆動機構を含む装置において、高機能化と高精度化とを両立させることができる。
【０１２６】
また、カメラモジュール４００を構成する各層１０〜９０，ＣＢは、各外周部で接着剤によってそれぞれ接合されているため、アクチュエータ部６１ａ，６１ｂ、弾性部７１，９１、レンズ部８１、およびレンズ保持部８３を含む内部構成は、密閉された状態になる。したがって、駆動機構が非常に小さな隙間を有して構成されているが、例えば、クリーンルーム内でカメラモジュール４００の組み立てを行うと、撮像素子部１１と保護層ＳＢと各層の外周部によって作られる空間へのゴミの進入が防がれ、密封により駆動機構の動作精度が高まる。また、密封により、空気の対流も防止されるため、駆動機構に対する負荷のバラツキも低減される。
【０１２７】
＜変形例＞
本発明は上述の実施の形態に限定されるものではなく、本発明の要旨を逸脱しない範囲において種々の変更、改良等が可能である。
【０１２８】
◎例えば、上記実施形態では、複数の層を貫通する貫通配線部ＣＴａ，ＣＴｂによってアクチュエータ部６１ａ，６１ｂに電圧を印加したが、これに限られない。例えば、アクチュエータ層６０の外縁部に設けられた端子部と、アクチュエータ部６１ａ，６１ｂとを電気的に接続する配線を設けても良い。このとき、端子部は、アクチュエータ層６０の外部からアクチュエータ部６１ａ，６１ｂに電界を付与するための配線を電気的に接続するための端子として機能する。このような構成を採用すると、撮像素子層１０とアクチュエータ層６０との間に配置される各層の作成が容易になる。
【０１２９】
◎また、上記実施形態では、アクチュエータ層６０については、図５で示した構造を有していたが、これに限られず、種々の形態が採用されても良い。ここで、アクチュエータ層の種々の形態の具体例（具体的には、具体例１〜３）を示して説明する。
【０１３０】
○具体例１：
図１４は、具体例１に係るアクチュエータ層６０Ａの構成を示す平面模式図である。
【０１３１】
図１４で示すように、アクチュエータ層６０Ａは、主に、上記実施形態に係る枠部Ｆ６と同様な構成を有する枠部Ｆ６Ａと、該枠部Ｆ６Ａの内縁の一辺のうちの両端近傍から突設される２枚のアクチュエータ部６１ａＡ，６１ｂＡとを備えて構成される。ここでは、枠部Ｆ６Ａが矩形状の内縁を有し、２枚のアクチュエータ部６１ａＡ，６１ｂＡは、対向する２辺に対して略平行に延設される。また、アクチュエータ部６１ａＡは、板状の突設部６２ａＡ上に、薄膜状の変位素子部６３ａＡが形成されて構成され、アクチュエータ部６１ｂＡは、板状の突設部６２ｂＡ上に、薄膜状の変位素子部６３ｂＡが形成されて構成される。
【０１３２】
具体的には、各突設部６２ａＡ，６２ｂＡは、シリコンなどで構成され、延設方向に沿った一端が枠部Ｆ６Ａに固設された固定端とされ、他端が自由端とされている。変位素子部６３ａＡ，変位素子部６３ｂＡは、薄膜状の形状記憶合金などで構成される。そして、変位素子部６３ａＡは、突設部６２ａＡの固定端近傍を始点として、突設部６２ａＡの自由端近傍を経由し、突設部６２ａＡの固定端近傍を終点とするように、縦長の略Ｕ字型に延設されて構成される。また、変位素子部６３ｂＡは、突設部６２ｂＡの固定端近傍を始点として、突設部６２ｂＡの自由端近傍を経由し、突設部６２ｂＡの固定端近傍を終点とするように、縦長の略Ｕ字型に延設されて構成される。
【０１３３】
そして、変位素子部６３ａＡの延設方向の端部のうち、変位素子部６３ｂＡ側でない一端が枠部Ｆ６Ａ上に設けられた電極部Ｔ１ａＡに対して電気的に接続され、他端が枠部Ｆ６Ａ上に設けられた電極部Ｔ２ａＡに対して電気的に接続される。また、変位素子部６３ｂＡの延設方向の端部のうち、変位素子部６３ａＡ側である一端が枠部Ｆ６Ａ上に設けられた電極部Ｔ１ｂＡに対して電気的に接続され、他端が枠部Ｆ６Ａ上に設けられた電極部Ｔ２ｂＡに対して電気的に接続される。また、電極部Ｔ１ａＡが、配線部Ｃ１ａＡを介して貫通配線部ＣＴａＡに対して電気的に接続され、電極部Ｔ２ａＡと電極部Ｔ１ｂＡとが、枠部Ｆ６Ａ上に設けられた配線部ＣＬａＡによって電気的に接続され、電極部Ｔ２ｂＡが、配線部Ｃ１ｂＡを介して貫通配線部ＣＴｂＡに対して電気的に接続される。
【０１３４】
これにより、貫通配線部ＣＴａＡ、配線部Ｃ１ａＡ、電極部Ｔ１ａＡ、変位素子部６３ａＡ、電極部Ｔ２ａＡ、配線部ＣＬａＡ、電極部Ｔ１ｂＡ、変位素子部６３ｂＡ、電極部Ｔ２ｂＡ、配線部Ｃ１ｂＡ、および貫通配線部ＣＴｂＡの順に電気的に直列に接続される。ここでは、２つの貫通配線部ＣＴａＡ，ＣＴｂＡは、枠部Ｆ６Ａを貫通するとともに、他の積層される層（例えば、層１０〜５０）も貫通する。なお、貫通配線部ＣＴａＡ、配線部Ｃ１ａＡ、電極部Ｔ１ａＡ、電極部Ｔ２ａＡ、配線部ＣＬａＡ、電極部Ｔ１ｂＡ、電極部Ｔ２ｂＡ、配線部Ｃ１ｂＡ、および貫通配線部ＣＴｂＡは、例えば、金などの導電性を有する素材を用いて、めっき、蒸着、スパッタリング、および薄膜の貼り付けのうちの何れかの手法で形成される。
【０１３５】
図１５は、図１４で示したアクチュエータ層６０Ａに相当するチップが所定配列（ここでは、マトリックス状の所定配列）で多数かつ一体的に形成されたシート（アクチュエータシート）Ｕ６Ａを例示する図である。図１４および図１５で示すように、アクチュエータシートＵ６Ａは、表面から裏面まで貫通する複数の開口部６９を所定配列で形成する板状のシート本体部６Ａと、各開口部６９においてシート本体部６Ａからそれぞれ突設されるアクチュエータ部６１ａＡ，６１ｂＡとを備えて構成される。そして、図１４で示したように、シート本体部６Ａのうちの各開口部６９の近傍の所定位置に、枠部Ｆ６Ａを貫通する貫通配線部ＣＴａＡ，ＣＴｂＡが、変位素子部６３ａＡ，６３ｂＡに対して電界の付与が可能に設けられている。
【０１３６】
なお、図１５で示したアクチュエータ層６０Ａでは、２つの貫通配線部ＣＴａＡ，ＣＴｂＡによってアクチュエータ部６１ａＡ，６１ｂＡに対して電圧が印加されるが、これに限られない。例えば、アクチュエータ層の外縁部に複数の端子部を設けて、該複数の端子部と、アクチュエータ部６１ａＡ，６１ｂＡとをそれぞれ電気的に接続することで、アクチュエータ部６１ａＡ，６１ｂＡに対して電圧を印加するようにしても良い。
【０１３７】
図１６は、外縁部に複数の端子部ＣＴａＢ，ＣＴｂＢが設けられたアクチュエータ層６０Ｂの構成例を示す図である。
【０１３８】
図１６で示すアクチュエータ層６０Ｂは、図１５で示したアクチュエータ層６０Ａと比較して、２つの貫通配線部ＣＴａＡ，ＣＴｂＡが、２つの端子部ＣＴａＢ，ＣＴｂＢに変更され、２本の配線部Ｃ１ａＡと配線部Ｃ１ｂＡとが、電極部Ｔ１ａＡと端子部ＣＴａＢとを電気的に接続する配線部Ｃ１ａＢと、電極部Ｔ２ｂＡと端子部ＣＴｂＢとを電気的に接続する配線部Ｃ１ｂＢとに変更されたものである。その他の構成は同様であるため、同様な部分については同じ符号を付している。なお、２つの端子部ＣＴａＢ，ＣＴｂＢは、枠部Ｆ６Ａの上面の外縁近傍に、例えば、金などの導電性を有する素材を用いて、めっき、蒸着、スパッタリング、および薄膜の貼り付けのうちの何れかの手法で形成される。
【０１３９】
このとき、端子部ＣＴａＢ，ＣＴｂＢは、アクチュエータ層６０Ｂの外部からアクチュエータ部６１ａＡ，６１ｂＡに電界を付与するための配線を電気的に接続するための端子として機能する。このような構成を採用すると、撮像素子層１０とアクチュエータ層６０Ｂとの間に配置される各層の作成が容易になる。
【０１４０】
また、図１６で示したアクチュエータ層６０Ｂに相当するチップが所定配列で多数かつ一体的に形成されたアクチュエータシートＵ６Ｂは、図１５で示すようなものとなる。そして、アクチュエータシートＵ６Ｂでは、シート本体部６Ａ上において、隣り合う開口部６９の間に形成された板状の部分のうちの所定位置に２つの端子部ＣＴａＢ，ＣＴｂＢがそれぞれ設けられる。ここで言う所定位置としては、ダイシングによって切断されるラインを含む領域などが挙げられる。
【０１４１】
なお、図１４および図１６で示したアクチュエータ層６０Ａ，６０Ｂでは、２つの変位素子部６３ａＡ，６３ｂＡの間を配線部ＣＬａＡによって電気的に接続することで、貫通配線部ＣＴａＡ，ＣＴｂＡおよび端子部ＣＴａＢ，ＣＴｂＢの数を減じたが、これに限られない。例えば、各変位素子部６３ａＡ，６３ｂＡに対して、それぞれ貫通配線部および端子部を設けても良い。また、変位素子部６３ａＡ，６３ｂＡのうちの一方に対して貫通電極を電気的に接続し、他方に対して端子部を電気的に接続しても良い。
【０１４２】
○具体例２：
図１７は、具体例２に係るアクチュエータ層６０Ｃの構成を示す平面模式図である。
【０１４３】
図１７で示すように、アクチュエータ層６０Ｃは、主に、上記実施形態に係る枠部Ｆ６と同様な構成を有する枠部Ｆ６Ｃと、該枠部Ｆ６Ｃの４辺の内縁のうちの対向する２辺の端部近傍からそれぞれ突設される２枚のアクチュエータ部６１ａＣ，６１ｂＣとを備えて構成される。ここでは、枠部Ｆ６Ｃが矩形状の内縁を有し、２枚のアクチュエータ部６１ａＣ，６１ｂＣは、矩形状の内縁の１つの対角線上の２つの角部近傍にそれぞれ固設され、矩形状の内縁の対向する２辺に対して略平行に延設される。また、アクチュエータ部６１ａＣは、板状の突設部６２ａＣ上に、薄膜状の変位素子部６３ａＣが形成されて構成され、アクチュエータ部６１ｂＣは、板状の突設部６２ｂＣ上に、薄膜状の変位素子部６３ｂＣが形成されて構成される。
【０１４４】
具体的には、各突設部６２ａＣ，６２ｂＣは、シリコンなどで構成され、延設方向の一端が枠部Ｆ６Ｃに固設された固定端とされ、他端が自由端とされている。変位素子部６３ａＣ，変位素子部６３ｂＣは、薄膜状の形状記憶合金などで構成される。そして、変位素子部６３ａＣは、突設部６２ａＣの固定端近傍を始点として、突設部６２ａＣの自由端近傍を経由し、突設部６２ａＣの固定端近傍を終点とするように、縦長の略Ｕ字型に延設されて構成される。また、変位素子部６３ｂＣは、突設部６２ｂＣの固定端近傍を始点として、突設部６２ｂＣの自由端近傍を経由し、突設部６２ｂＣの固定端近傍を終点とするように、縦長の略Ｕ字型に延設されて構成される。
【０１４５】
そして、変位素子部６３ａＣの延設方向に沿った端部のうち、変位素子部６３ｂＣ側でない一端が枠部Ｆ６Ｃ上に設けられた電極部Ｔ１ａＣに対して電気的に接続され、他端が枠部Ｆ６Ｃ上に設けられた電極部Ｔ２ａＣに対して電気的に接続される。また、変位素子部６３ｂＣの延設方向に沿った端部のうち、変位素子部６３ａＣ側である一端が枠部Ｆ６Ｃ上に設けられた電極部Ｔ１ｂＣに対して電気的に接続され、他端が枠部Ｆ６Ｃ上に設けられた電極部Ｔ２ｂＣに対して電気的に接続される。また、電極部Ｔ１ａＣが、配線部Ｃ１ａＣを介して貫通配線部ＣＴａＣに対して電気的に接続され、電極部Ｔ２ａＣが、配線部Ｃ２ａＣを介して貫通配線部ＣＴｂＣに対して電気的に接続される。更に、電極部Ｔ２ａＣと電極部Ｔ２ｂＣとが、枠部Ｆ６Ｃ上に設けられた配線部ＣＬａＣによって電気的に接続され、電極部Ｔ１ａＣと電極部Ｔ１ｂＣとが、枠部Ｆ６Ｃ上に設けられた配線部ＣＬｂＣによって電気的に接続される。これにより、２つの貫通配線部ＣＴａＣ，ＣＴｂＣの間に、２つの変位素子部６１ａＣ，６１ｂＣが電気的に並列に接続される。
【０１４６】
図１８は、図１７で示したアクチュエータ層６０Ｃに相当するチップが所定配列（ここでは、マトリックス状の所定配列）で多数かつ一体的に形成されたシート（アクチュエータシート）Ｕ６Ｃを例示する図である。図１７および図１８で示すように、アクチュエータシートＵ６Ｃは、表面から裏面まで貫通する複数の開口部６９を所定配列で形成する板状のシート本体部６Ｃと、各開口部６９においてシート本体部６Ｃからそれぞれ突設されるアクチュエータ部６１ａＣ，６１ｂＣとを備えて構成される。そして、図１７で示したように、シート本体部６Ｃのうちの各開口部６９の近傍の所定位置に、枠部Ｆ６Ｃを貫通する貫通配線部ＣＴａＣ，ＣＴｂＣが、変位素子部６３ａＣ，６３ｂＣに対して電界の付与が可能に設けられている。
【０１４７】
なお、図１８で示したアクチュエータ層６０Ｃでは、２つの貫通配線部ＣＴａＣ，ＣＴｂＣによってアクチュエータ部６１ａＣ，６１ｂＣに対して電圧が印加されるが、これに限られない。例えば、アクチュエータ層の外縁部に複数の端子部を設けて、該複数の端子部と、アクチュエータ部６１ａＣ，６１ｂＣとをそれぞれ電気的に接続することで、アクチュエータ部６１ａＣ，６１ｂＣに対して電圧を印加するようにしても良い。
【０１４８】
図１９は、外縁部に複数の端子部ＣＴａＤ，ＣＴｂＤが設けられたアクチュエータ層６０Ｄの構成例を示す図である。
【０１４９】
図１９で示すアクチュエータ層６０Ｄは、図１７で示したアクチュエータ層６０Ｃと比較して、２つの貫通配線部ＣＴａＣ，ＣＴｂＣが、２つの端子部ＣＴａＤ，ＣＴｂＤに変更され、２本の配線部Ｃ１ａＣと配線部Ｃ２ａＣとが、電極部Ｔ１ａＣと端子部ＣＴａＤとを電気的に接続する配線部Ｃ１ａＤと、電極部Ｔ２ａＣと端子部ＣＴｂＤとを電気的に接続する配線部Ｃ２ａＤとに変更されたものである。その他の構成は同様であるため、同様な部分については同じ符号を付している。
【０１５０】
このとき、端子部ＣＴａＤ，ＣＴｂＤは、アクチュエータ層６０Ｄの外部からアクチュエータ部６１ａＣ，６１ｂＣに電界を付与するための配線を電気的に接続するための端子として機能する。このような構成を採用すると、撮像素子層１０とアクチュエータ層６０Ｄとの間に配置される各層の作成が容易になる。
【０１５１】
また、図１９で示したアクチュエータ層６０Ｄに相当するチップが所定配列で多数かつ一体的に形成されたアクチュエータシートＵ６Ｄは、図１８で示すようなものとなる。そして、アクチュエータシートＵ６Ｄでは、シート本体部６Ｃ上において、隣り合う開口部６９の間に形成された板状の部分のうちの所定位置に２つの端子部ＣＴａＤ，ＣＴｂＤがそれぞれ設けられる。ここで言う所定位置としては、ダイシングによって切断されるラインを含む領域などが挙げられる。
【０１５２】
なお、図１７および図１９で示したアクチュエータ層６０Ｃ，６０Ｄでは、２つの変位素子部６３ａＣ，６３ｂＣの間を配線部ＣＬａＣ，ＣＬｂＣによって電気的に接続することで、貫通配線部ＣＴａＣ，ＣＴｂＣおよび端子部ＣＴａＤ，ＣＴｂＤの数を減じたが、これに限られない。例えば、各変位素子部６３ａＣ，６３ｂＣに対して、それぞれ、貫通配線部および端子部を設けても良い。また、変位素子部６３ａＣ，６３ｂＣのうちの一方に対して貫通電極を電気的に接続し、他方に対して端子部を電気的に接続しても良い。
【０１５３】
○具体例３：
図２０は、具体例３に係るアクチュエータ層６０Ｅの構成を示す平面模式図である。
【０１５４】
図２０で示すように、アクチュエータ層６０Ｅは、主に、上記実施形態に係る枠部Ｆ６と同様な構成を有する枠部Ｆ６Ｅと、該枠部Ｆ６Ｅの４辺の内縁のうちの各辺の一端近傍からそれぞれ突設される４枚のアクチュエータ部６１ａＥ，６１ｂＥ，６１ｃＥ，６１ｄＥとを備えて構成される。ここでは、枠部Ｆ６Ｅが矩形状の内縁を有し、４枚のアクチュエータ部６１ａＥ，６１ｂＥ，６１ｃＥ，６１ｄＥは、それぞれ矩形状の内縁の各辺に対して略平行に延設される。また、４枚のアクチュエータ部６１ａＥ，６１ｂＥ，６１ｃＥ，６１ｄＥの構成は、上記具体例２に係るアクチュエータ部６１ａＣ，６１ｂＣと同様なものとなっている。但し、このような構成では、例えば、平行バネ下層７０や平行バネ上層９０の構成を、アクチュエータ部６１ａＥ，６１ｂＥ，６１ｃＥ，６１ｄＥの配列に合わせたものとする必要がある。
【０１５５】
ここでは、アクチュエータ部６１ａＥ上に設けられた変位素子部の延設方向に沿った端部のうち、アクチュエータ部６１ｄＥ側でない一端が枠部Ｆ６Ｅ上に設けられた電極部Ｔ１ａＥに対して電気的に接続され、他端が枠部Ｆ６Ｅ上に設けられた電極部Ｔ２ａＥに対して電気的に接続される。また、アクチュエータ部６１ｂＥ上に設けられた変位素子部の延設方向に沿った端部のうち、アクチュエータ部６１ａＥ側でない一端が枠部Ｆ６Ｅ上に設けられた電極部Ｔ１ｂＥに対して電気的に接続され、他端が枠部Ｆ６Ｅ上に設けられた電極部Ｔ２ｂＥに対して電気的に接続される。また、アクチュエータ部６１ｃＥ上に設けられた変位素子部の延設方向に沿った端部のうち、アクチュエータ部６１ｂＥ側でない一端が枠部Ｆ６Ｅ上に設けられた電極部Ｔ１ｃＥに対して電気的に接続され、他端が枠部Ｆ６Ｅ上に設けられた電極部Ｔ２ｃＥに対して電気的に接続される。また、アクチュエータ部６１ｄＥ上に設けられた変位素子部の延設方向に沿った端部のうち、アクチュエータ部６１ｃＥ側でない一端が枠部Ｆ６Ｅ上に設けられた電極部Ｔ１ｄＥに対して電気的に接続され、他端が枠部Ｆ６Ｅ上に設けられた電極部Ｔ２ｄＥに対して電気的に接続される。
【０１５６】
また、電極部Ｔ１ａＥが、配線部Ｃ１ａＥを介して貫通配線部ＣＴａＥに対して電気的に接続され、電極部Ｔ２ａＥが、配線部Ｃ２ａＥを介して貫通配線部ＣＴｂＥに対して電気的に接続される。更に、電極部Ｔ２ａＥと電極部Ｔ１ｄＥとが、枠部Ｆ６Ｅ上に設けられた配線部ＣＬａＥによって電気的に接続され、電極部Ｔ２ｂＥと電極部Ｔ１ａＥとが、枠部Ｆ６Ｅ上に設けられた配線部ＣＬｂＥによって電気的に接続され、電極部Ｔ２ｃＥと電極部Ｔ１ｂＥとが、枠部Ｆ６Ｅ上に設けられた配線部ＣＬｃＥによって電気的に接続され、電極部Ｔ２ｄＥと電極部Ｔ１ｃＥとが、枠部Ｆ６Ｅ上に設けられた配線部ＣＬｄＥによって電気的に接続される。
【０１５７】
図２１は、図２０で示したアクチュエータ層６０Ｅに相当するチップが所定配列（ここでは、マトリックス状の所定配列）で多数かつ一体的に形成されたシート（アクチュエータシート）Ｕ６Ｅを例示する図である。図２０および図２１で示すように、アクチュエータシートＵ６Ｅは、表面から裏面まで貫通する複数の開口部６９を所定配列で形成する板状のシート本体部６Ｅと、各開口部６９においてシート本体部６Ｅからそれぞれ突設されるアクチュエータ部６１ａＥ，６１ｂＥ，６１ｃＥ，６１ｄＥとを備えて構成される。そして、図２０で示したように、シート本体部６Ｅのうちの各開口部６９の近傍の所定位置に、枠部Ｆ６Ｅを貫通する貫通配線部ＣＴａＥ，ＣＴｂＥが、アクチュエータ部６１ａＥ，６１ｂＥ，６１ｃＥ，６１ｄＥの変位素子部に対して電界の付与が可能に設けられている。
【０１５８】
なお、図２１で示したアクチュエータ層６０Ｅでは、２つの貫通配線部ＣＴａＥ，ＣＴｂＥによってアクチュエータ部６１ａＥ，６１ｂＥ，６１ｃＥ，６１ｄＥに対して電圧が印加されたが、これに限られない。例えば、アクチュエータ層の外縁部に複数の端子部を設けて、該複数の端子部と、アクチュエータ部６１ａＥ，６１ｂＥ，６１ｃＥ，６１ｄＥとをそれぞれ電気的に接続することで、アクチュエータ部６１ａＥ，６１ｂＥ，６１ｃＥ，６１ｄＥに対して電圧を印加するようにしても良い。
【０１５９】
図２２は、外縁部に複数の端子部ＣＴａＦ，ＣＴｂＦが設けられたアクチュエータ層６０Ｆの構成例を示す図である。
【０１６０】
図２２で示すアクチュエータ層６０Ｆは、図２０で示したアクチュエータ層６０Ｅと比較して、２つの貫通配線部ＣＴａＥ，ＣＴｂＥが、２つの端子部ＣＴａＦ，ＣＴｂＦに変更され、２本の配線部Ｃ１ａＥと配線部Ｃ２ａＥとが、電極部Ｔ１ａＥと端子部ＣＴａＦとを電気的に接続する配線部Ｃ１ａＦと、電極部Ｔ２ａＥと端子部ＣＴｂＦとを電気的に接続する配線部Ｃ２ａＦとに変更されたものである。その他の構成は同様であるため、同様な部分については同じ符号を付している。
【０１６１】
このとき、端子部ＣＴａＦ，ＣＴｂＦは、アクチュエータ層６０Ｆの外部からアクチュエータ部６１ａＥ，６１ｂＥ，６１ｃＥ，６１ｄＥに電界を付与するための配線を電気的に接続するための端子として機能する。このような構成を採用すると、撮像素子層１０とアクチュエータ層６０Ｆとの間に配置される各層の作成が容易になる。
【０１６２】
また、図２２で示したアクチュエータ層６０Ｆに相当するチップが所定配列で多数かつ一体的に形成されたアクチュエータシートＵ６Ｆは、図２１で示すようなものとなる。そして、アクチュエータシートＵ６Ｆでは、シート本体部６Ｅ上において、隣り合う開口部６９の間に形成された板状の部分のうちの所定位置に２つの端子部ＣＴａＦ，ＣＴｂＦがそれぞれ設けられる。ここで言う所定位置としては、ダイシングによって切断されるラインを含む領域などが挙げられる。
【０１６３】
なお、図２０および図２２で示したアクチュエータ層６０Ｅ，６０Ｆでは、４つの変位素子部の間を配線部ＣＬａＥ，ＣＬｂＥ，ＣＬｃＥ，ＣＬｄＥによって電気的に接続することで、貫通配線部ＣＴａＥ，ＣＴｂＥおよび端子部ＣＴａＦ，ＣＴｂＦの数を減じたが、これに限られない。例えば、各変位素子部に対して、それぞれ貫通配線部および端子部を設けても良い。また、変位素子部のうちの一部のものに対して貫通電極を電気的に接続し、残余のものに対して端子部を電気的に接続しても良い。
【０１６４】
◎また、上記実施形態では、各開口部６９において、シート本体部６から複数のアクチュエータ部６１ａ，６１ｂが延設されたが、これに限られず、例えば、各開口部６９において、シート本体部６から１枚のアクチュエータ部が突設されても良い。すなわち、シート本体部６から１以上のアクチュエータ部が突設されれば良い。
【０１６５】
◎また、上記実施形態では、アクチュエータ層６０において、突設部６１１ａ上に、突設部６１２ａ、変位素子部６１３ａ，６１５ａ、絶縁膜６１４ａ、および導電部Ｃｎａを積層させるとともに、突設部６１１ｂ上に、突設部６１２ｂ、変位素子部６１３ｂ，６１５ｂ、絶縁膜６１４ｂ、および導電部Ｃｎｂを積層させて、アクチュエータ部６１ａ，６１ｂを形成したが、これに限られない。例えば、突設部６１２ａ、変位素子部６１３ａ，６１５ａ、絶縁膜６１４ａ、および導電部Ｃｎａの積層物を１つの積層構造として、該積層構造を突設部６１１ａ上に複数積層させるとともに、突設部６１２ｂ、変位素子部６１３ｂ，６１５ｂ、絶縁膜６１４ｂ、および導電部Ｃｎｂの積層物を１つの積層構造として、該積層構造を突設部６１１ｂ上に複数積層させることで、アクチュエータ部６１ａ，６１ｂの変形による出力の向上を図っても良い。
【０１６６】
また、例えば、突設部６１２ａ、変位素子部６１３ａ，６１５ａ、絶縁膜６１４ａ、および導電部Ｃｎａの積層物を１つの積層構造として、該積層構造を突設部６１１ａの上下面にそれぞれ設けるとともに、突設部６１２ｂ、変位素子部６１３ｂ，６１５ｂ、絶縁膜６１４ｂ、および導電部Ｃｎｂの積層物を１つの積層構造として、該積層構造を突設部６１１ｂの上下面にそれぞれ設けることで、アクチュエータ部６１ａ，６１ｂの自由端が上下に変位可能となるようにしても良い。
【０１６７】
◎また、上記実施形態では、カメラモジュール４００が、１０層が積層されて形成されたが、これに限られない。例えば、第３レンズ層８０について、レンズパワーを有するレンズ部８１と枠部Ｆ８とを、レンズ部８１と同じ材料で形成された薄板状の弾性部材によって、レンズ部８１を周囲の少なくとも２箇所において連結することで、平行バネ下層７０および平行バネ上層９０を省略する構成などが考えられる。
【０１６８】
但し、レンズ部８１の光軸のずれを抑制するためには、第３レンズ層８０を、枠部Ｆ８とレンズ部８１とが、レンズ部８１の周囲の異なる方向から少なくとも３つの弾性部材によって連結されたものに変更することが好ましい。そして、３以上の弾性部材が設けられる場所は、レンズ部８１の光軸を中心とした周方向に沿った略等間隔の位置など、枠部Ｆ８がレンズ部８１を偏りなく支持可能である場所であることが望ましい。
【０１６９】
このように、レンズ部８１の周囲に配置される３以上の弾性部材によってレンズ部８１が支持されれば、レンズ部８１の光軸をずらすことなく、レンズ部８１と、アクチュエータ部６１ａ，６１ｂとを精度良く組み合わせて、カメラモジュール４００を製造することができる。そして、例えば、レンズ部８１を保持するための弾性部７１，９１を有する他の層７０，９０が不要となるため、カメラモジュール４００の構造の簡略化による組み立て精度の向上と、カメラモジュール４００の薄型化および小型化とを図ることができる。
【０１７０】
また、光学系の設計によっては、第１および第２レンズ層４０，５０も適宜省略可能となる。したがって、レンズ部８１をアクチュエータ部６１ａ，６１ｂで精度良く支持する観点から言えば、カメラモジュール４００が、移動するレンズ部８１を有するレンズ層８０と、レンズ部８１を移動させるアクチュエータ層６０と、を少なくとも含む複数の層が積層されて形成されれば良い。
【０１７１】
なお、上述した平行バネ下層７０および平行バネ上層９０を省略する構成では、上記実施形態と比較して、連結部８４をレーザーなどで切断する必要性がないため、レンズ部８１における光軸の偏芯の発生を抑制しつつ、高精度にカメラモジュールを組み立てることができる。
【０１７２】
◎また、上記実施形態では、ダイシング後に、光学ユニットの光軸の偏芯を検査して、良品の光学ユニットに対して撮像素子層１０を取り付けたが、これに限られない。例えば、９つのシートＵ２〜Ｕ９，ＵＣＢを積層させる精度が高い様な場合には、図３(ａ)で示した撮像素子層１０が所定の基板（例えば、シリコン基板）上に所定配列（ここでは、マトリックス状の所定配列）で多数形成されたシート（撮像素子シート）を形成しておき、９つのシートＵ２〜Ｕ９，ＵＣＢを積層させる際に、併せて撮像素子シートもアライメントしつつ積層および接合させた後に、ダイシングを行うことで、多数のカメラモジュール４００を完成させても良い。このような構成を採用することで、撮像素子層１０を接合する際のアライメントも容易となるため、撮像素子部１１を含む複数の機能を実現する部材を容易に精度良く組み合わせることが可能となる。
【０１７３】
◎また、上記実施形態では、４つのシートＵ２〜Ｕ５が積層された状態で、貫通孔Ｃａ２〜Ｃａ５が一体的に繋がって形成される貫通孔、および貫通孔Ｃｂ２〜Ｃｂ５が一体的に繋がって形成される貫通孔に対して、金属をメッキすることで配線が形成されたが、これに限られない。例えば、ダイシング前に撮像素子シートを積層および接合する場合には、複数のシートＵ２〜Ｕ９，ＵＣＢが積層させて接合された後に、貫通孔Ｃａ１〜Ｃａ５，Ｃａ６１，Ｃａ６２が一体的に繋がって形成される貫通孔、および貫通孔Ｃｂ１〜Ｃｂ５，Ｃｂ６１，Ｃｂ６２が一体的に繋がって形成される貫通孔に対して、金属をメッキすることで貫通配線部ＣＴａ，ＣＴｂが形成されても良い。
【０１７４】
また、５つのシートＵ２〜Ｕ６について、シート毎に貫通孔Ｃａ２〜Ｃａ５，Ｃａ６１，Ｃａ６２，Ｃｂ２〜Ｃｂ５，Ｃｂ６１，Ｃｂ６２に金属をメッキするなどして導電材料を充填させておき、５つのシートＵ２〜Ｕ６を積層した時点で、貫通配線部ＣＴａ，ＣＴｂが形成されるようにしても良い。なお、各層間における接触抵抗の低減を図るためには、貫通孔Ｃａ２〜Ｃａ５，Ｃａ６１，Ｃａ６２，Ｃｂ２〜Ｃｂ５，Ｃｂ６１，Ｃｂ６２から若干はみ出る程度に導電材料を充填させることが好ましい。このように、アクチュエータ層６０に枠部Ｆ６１，Ｆ６２を貫通する配線が予め作製されておれば、小型の駆動機構を含む装置を製造する際に、アクチュエータシートＵ６と積層および接合される他のシート（ここでは、第２レンズシートＵ５など）にも同様な貫通する配線を設けることで、アクチュエータ部６１ａ，６１ｂに電界を付与するための貫通配線部ＣＴａ，ＣＴｂを容易に精度良く形成することができる。
【０１７５】
◎また、上記実施形態では、カメラモジュール４００を構成する１０層のうちの５層を貫通する電圧供給用の貫通配線部ＣＴａ，ＣＴｂが設けられたが、これに限られない。例えば、撮像素子層１０については、貫通する配線を設けず、撮像素子層１０内に配置された信号用の各種配線と同様に、撮像素子層１０内に適宜電圧供給用の配線を設けて、撮像素子層１０の裏面または側面から該配線に対して電気的に接続可能な端子部を設けても良い。このような構成を採用しても、上記実施形態と同様に、アクチュエータ部に電界を付与するための配線部を容易に精度良く形成することができる。そして、アクチュエータシートＵ６の作製が容易となる。
【０１７６】
ところで、上述したように、光学系の設計によっては、第１および第２レンズ層４０，５０も適宜省略可能となる。したがって、アクチュエータ部６１ａ，６１ｂに電界を付与するための配線部を容易に精度良く形成するといった観点から言えば、カメラモジュール４００を構成する複数の層のうち、撮像素子層１０とアクチュエータ層６０との間に配置される１層以上を貫通し、且つアクチュエータ層６０に電界を付与する配線が設けられれば良い。
【０１７７】
◎また、上記実施形態では、ベース層６０１に貫通孔Ｃａ６１，Ｃｂ６１を設けた上で導電材料を充填したが、これに限られず、例えば、ベース層６０１の素材となるシリコンの薄板にイオンドーピングを施すことで、導通可能な領域を形成するようにしても良い。
【０１７８】
◎また、上記実施形態では、複数のシートＵ２〜Ｕ５を貫通する貫通孔Ｃａ２〜Ｃａ５，Ｃｂ２〜Ｃｂ５をシート毎に形成したが、これに限られない。例えば、シートＵ２〜Ｕ５を積層して接合した後に、いわゆるフェムト秒レーザ、エキシマレーザ、またはイオン性エッチング法などを用いて、数１０μｍ程度の大きさの４つのシートを貫通する貫通孔を形成しても良い。
【０１７９】
◎また、上記実施形態では、アクチュエータ素子（変位素子）として、形状記憶合金(ＳＭＡ)を用いたが、これに限られず、例えば、ＰＺＴ(チタン酸ジルコン酸鉛：Pb(lead) zirconate titanate)などの無機圧電体や、ポリフッ化ビニリデン(ＰＶＤＦ)などの有機圧電体などといった圧電素子を用いても良い。そして、圧電素子の薄膜をアクチュエータ素子とした場合には、例えば、ベース層６０１上に電極、圧電素子の薄膜、電極の順番にスパッタリング法などを用いて成膜し、高電界を掛けてポーリングを行えば良い。
【０１８０】
◎また、上記実施形態では、ベース層６０１上に、絶縁層６０２、および絶縁膜６１４ａ，６１４ｂを介してアクチュエータ素子の薄膜を成膜することで、アクチュエータ部６１ａ，６１ｂが形成されたが、これに限られない。例えば、アクチュエータ部６１ａ，６１ｂが、ベース層６０１上に、該ベース層６０１の素材と比較して温度の上昇に対応して長さが変化する割合（線膨張率、または線膨張係数）が異なる金属薄膜を成膜することで、アクチュエータ部が形成されても良い。なお、線膨張係数の異なる素材の組合せとしては、例えば、ベース層をシリコン(Ｓｉ)で構成し、金属薄膜をアルミニウム(Ａｌ)で構成するような態様が考えられる。
【０１８１】
具体的には、シリコン基板によって構成されるベース層上に、チタン(Ｔｉ)などの薄膜、および白金(Ｐｔ)の薄膜を順次積層させてヒーターを形成し、該ヒーター上にアルミニウム(Ａｌ)またはニッケル(Ｎｉ)などのメタル層を形成したアクチュエータ部が考えられる。そして、このような構成では、ヒーターへ電力が印加されていない状態（ＯＦＦ状態）では、メタル層は常温状態にあるため、シリコン基板の弾性力により、メタル層が平面状とされ、アクチュエータ部がほぼ平坦な形状を呈する。一方、ヒーターへ電力が印加された状態（ＯＮ状態）では、ヒーターに電流が流れ、ヒーターは、自身のジュール熱によって加熱される。このとき発生する熱によりメタル層も加熱され、該メタル層が膨張し、該メタル層の長さとシリコン基板の長さとの間に差が生じ、アクチュエータ部の反りが生じる。
【０１８２】
◎また、上記実施形態では、弾性部７１，９１がそれぞれ枠部Ｆ７，Ｆ９の２箇所に固設されたが、これに限られず、種々の構成を採用しても良い。但し、上述の如くレンズ部８１の光軸を傾けることなく、レンズ部８１を移動させるためには、弾性部７１，９１がそれぞれ枠部Ｆ７，Ｆ９の２箇所以上で固設されることが好ましい。
【０１８３】
◎また、上記実施形態では、弾性部７１の両端が、枠部Ｆ７の合計２箇所に固設され、弾性部９１の両端が、枠部Ｆ９の合計２箇所に固設されていたが、これに限られない。例えば、弾性部７１，９１をそれぞれ中央部分で２分割して、２分割された弾性部７１の一方および他方の一端を枠部Ｆ７にそれぞれ固設することで合計２箇所に固設するとともに、２分割された弾性部９１の一方および他方の一端を枠部Ｆ９にそれぞれ固設することで合計２箇所に固設するような構成も考えられる。
【０１８４】
◎また、上記実施形態では、アクチュエータ部６１ａ、６１ｂによって移動される対象物（移動対象物）が、オートフォーカス装置を構成する光学レンズであったが、これに限られない。例えば、移動対象物は、手振れ補正機構を構成する光学レンズや光ピックアップ装置を構成する光学レンズなど、その他の光学レンズであっても良いし、更に、光学レンズ以外の種々の小型の移動対象物であっても良い。つまり、本発明は、移動対象物を移動させる駆動装置一般に適用することができる。なお、手振れ補正機構としては、例えば、アクチュエータ部の動きにより、移動対象物である光学レンズが上下左右に２次元的に駆動する構成を挙げることができる。
【０１８５】
以下、本発明を適用して製造された駆動装置を含む具体例について簡単に説明する。
【０１８６】
図２３は、対物レンズ５０５を駆動させる駆動装置を含む光ピックアップ装置７００の構成例を示す断面模式図である。
【０１８７】
この光ピックアップ装置７００では、光源７０１から射出される光ビームを光ディスク７０６の情報記録面７０７に集光させ、該情報記録面７０７で反射される光ビームを受光素子７０８で受光して、情報を読み取るものである。そして、この光ピックアップ装置７００では、情報記録面７０７の形状に合わせて、光ビームのフォーカス位置を調節する必要がある。そこで、本具体例に係る光ピックアップ装置７００には、上記実施形態に係るアクチュエータ層６０、平行バネ下層７０、および平行バネ上層９０を用いて対物レンズ７０５を駆動することで光ビームの焦点を調節する駆動装置が搭載されている。
【０１８８】
図２３で示すように、光源７０１から射出された光ビームは、ビームスプリッター７０２を透過し、コリメータレンズ７０３で略平行光とされ、反射プリズム７０４にて反射されて、対物レンズ７０５に入射する。そして、対物レンズ７０５を保持する部分が、平行バネ下層７０の弾性部７１と、平行バネ上層９０の弾性部９１とによって挟持され、弾性部７１の下面にアクチュエータ層６０のアクチュエータ部６１ａ，６１ｂが当接されている。このため、アクチュエータ部６１ａ，６１ｂの変形により、弾性部７１の押し上げ、ならびに弾性部７１の弾性力による押し下げが生じ、対物レンズ７０５が光軸に沿って上下に駆動可能とされている。また、対物レンズ７０５で屈折された光は、光ディスク７０６に入射し、情報記録面７０７に集光される。そして、情報記録面７０７で反射された光は、入射してきた光路を逆に辿り、ビームスプリッター７０２で反射されて受光素子７０８に至る。
【符号の説明】
【０１８９】
６，６Ａ，６Ｃ，６Ｅ  シート本体部
５０  第２レンズ層
６０，６０Ａ，６０Ｂ，６０Ｃ  アクチュエータ層
６９  開口部
６１ａ，６１ａＡ，６１ａＣ，６１ａＥ，６１ｂ，６１ｂＡ，６１ｂＣ，６１ｂＥ，６１ｃＥ，６１ｄＥ  アクチュエータ部
６２ａＡ，６２ｂＡ，６２ａＣ，６２ｂＣ，６１１ａ，６１１ｂ，６１２ａ，６１２ｂ  突設部
６３ａＡ，６３ｂＡ，６３ａＣ，６３ｂＣ，６１３ａ，６１３ｂ，６１５ａ，６１５ｂ  変位素子部
７０  平行バネ下層
７１，９１  弾性部
１００  携帯電話機
４００  カメラモジュール
６１５ｃ，Ｃ１ａＡ，Ｃ１ａＢ，Ｃ１ａＣ，Ｃ１ａＤ，Ｃ１ａＥ，Ｃ１ａＦ，Ｃ１ｂＡ，Ｃ１ｂＢ，Ｃ２ａＣ，Ｃ２ａＤ，Ｃ２ａＥ，Ｃ２ａＦ，ＣＬａＡ，ＣＬａＣ，ＣＬｂＣ，ＣＬａＥ，ＣＬｂＥ，ＣＬｃＥ，ＣＬｄＥ  配線部
７００  光ピックアップ装置
ＣＴａ，ＣＴｂ，ＣＴａＡ，ＣＴｂＡ，ＣＴａＣ，ＣＴｂＣ，ＣＴａＥ，ＣＴｂＥ  貫通配線部
ＣＴａＢ，ＣＴｂＢ，ＣＴａＤ，ＣＴｂＤ，ＣＴａＦ，ＣＴｂＦ  端子部
Ｆ１  外周部
Ｆ４〜Ｆ９，Ｆ６Ａ，Ｆ６Ｃ，Ｆ６Ｅ  枠部
Ｕ５  第２レンズシート
Ｕ６，Ｕ６Ａ，Ｕ６Ｂ，Ｕ６Ｃ，Ｕ６Ｄ，Ｕ６Ｅ，Ｕ６Ｆ  アクチュエータシート
Ｕ７  平行バネ下シート
【図１】
0005541156.tif 000002
【図２】
0005541156.tif 000003
【図３】
0005541156.tif 000004
【図４】
0005541156.tif 000005
【図５】
0005541156.tif 000006
【図６】
0005541156.tif 000007
【図７】
0005541156.tif 000008
【図８】
0005541156.tif 000009
【図９】
0005541156.tif 000010
【図１０】
0005541156.tif 000011
【図１１】
0005541156.tif 000012
【図１２】
0005541156.tif 000013
【図１３】
0005541156.tif 000014
【図１４】
0005541156.tif 000015
【図１５】
0005541156.tif 000016
【図１６】
0005541156.tif 000017
【図１７】
0005541156.tif 000018
【図１８】
0005541156.tif 000019
【図１９】
0005541156.tif 000020
【図２０】
0005541156.tif 000021
【図２１】
0005541156.tif 000022
【図２２】
0005541156.tif 000023
【図２３】
0005541156.tif 000024